(57)【要約】  本出願の実施形態は、フィードバック情報を送信する方法及びデバイスとデータを再送信する方法及びデバイスを提供し、通信の信頼性を向上させることができる。前記方法は、第一端末デバイスは第一指示情報に基づいてフィードバックリソースを取得することと、第一端末デバイスはフィードバックリソース上でデバイス間Ｄ２Ｄ方式で第二端末デバイスにフィードバック情報を送信することと、を含み、フィードバックリソースは第二端末デバイスから送信された第一メッセージに対する第一端末デバイスのフィードバック情報を載せるために用いられる。
2022502889.tif 000002
【特許請求の範囲】
【請求項１】
フィードバック情報を送信する方法であって、
第一端末デバイスは第一指示情報に基づいてフィードバックリソースを取得することと、
前記第一端末デバイスは前記フィードバックリソース上でデバイス間Ｄ２Ｄ方式で第二端末デバイスにフィードバック情報を送信することと、
を含み、
前記フィードバックリソースは前記第二端末デバイスから送信された第一メッセージに対する前記第一端末デバイスのフィードバック情報を載せるために用いられる、
ことを特徴とするフィードバック情報を送信する方法。
【請求項２】
前記第一端末デバイスが第一指示情報に基づいてフィードバックリソースを取得する前に、前記方法は、
前記第一端末デバイスは前記第二端末デバイスから送信する前記第一指示情報を受信することをさらに含む、
ことを特徴とする請求項１に記載の方法。
【請求項３】
前記第一端末デバイスが第一指示情報に基づいてフィードバックリソースを取得する前に、前記方法は、
前記第一端末デバイスは前記第一指示情報を予め設置することをさらに含む、
ことを特徴とする請求項１に記載の方法。
【請求項４】
前記第一端末デバイスが第一指示情報に基づいてフィードバックリソースを取得する前に、前記方法は、
前記第一端末デバイスはネットワークデバイスから送信する前記第一指示情報を受信することをさらに含む、
ことを特徴とする請求項１に記載の方法。
【請求項５】
前記第一指示情報は、前記フィードバックリソースの時間情報及び/又は周波数情報を指示するために用いられる、
ことを特徴とする請求項１〜４のいずれか一項に記載の方法。
【請求項６】
前記第一指示情報は利用可能なフィードバックリソースセットを指示するために用いられ、前記第一端末デバイスは第一指示情報に基づいてフィードバックリソースを取得することは、
前記第一端末デバイスは前記フィードバックリソースセットからフィードバックリソースを選択することを含む、
ことを特徴とする請求項１〜５のいずれか一項に記載の方法。
【請求項７】
前記第一端末デバイスはネットワークデバイスから送信する指示情報を受信する前に、前記方法は、
前記第一端末デバイスは前記ネットワークデバイスにリソース請求メッセージを送信することをさらに含む、
ことを特徴とする請求項４〜６のいずれか一項に記載の方法。
【請求項８】
前記リソース請求メッセージは、前記第一端末デバイスが請求するフィードバックリソースの時間情報及び/又は周波数情報を含む、
ことを特徴とする請求項７に記載の方法。
【請求項９】
前記リソース請求メッセージは、アップリンク制御チャネル（ＰＵＣＣＨ）、メディアアクセス制御（ＭＡＣ）制御要素（ＣＥ）又は無線リソース制御（ＲＲＣ）シグナリングで載せる、
ことを特徴とする請求項７又は８に記載の方法。
【請求項１０】
前記第一端末デバイスは前記フィードバックリソース上で前記第二端末デバイスにフィードバック情報を送信する前に、前記方法は、
前記第一端末デバイスは自律的にリソースを選択する方式によって前記フィードバックリソースを取得することをさらに含む、
ことを特徴とする請求項１〜９のいずれか一項に記載の方法。
【請求項１１】
前記フィードバックリソースは、前記第二端末デバイスの時間及び/又は周波数を同期参考とする、
ことを特徴とする請求項１〜１０のいずれか一項に記載の方法。
【請求項１２】
前記フィードバックリソースは、前記ネットワークデバイスの時間及び/又は周波数を同期参考とする、
ことを特徴とする請求項１〜１０のいずれか一項に記載の方法。
【請求項１３】
前記フィードバックリソースは、グローバルナビゲーション衛星システム（ＧＮＳＳ）の時間及び/又は周波数を同期参考とする、
ことを特徴とする請求項１〜１０のいずれか一項に記載の方法。
【請求項１４】
前記フィードバック情報は、確認（ＡＣＫ）情報、非確認（ＮＡＣＫ）情報、チャネル品質情報、パワー制御情報、マルチアンテナ方案のうちの少なくとも１つを含む、
ことを特徴とする請求項１〜１３のいずれか一項に記載の方法。
【請求項１５】
前記第一メッセージは、前記第二端末デバイスから前記第一端末デバイスに送信するデータ情報、制御情報又は参照信号を含む、
ことを特徴とする請求項１〜１４のいずれか一項に記載の方法。
【請求項１６】
フィードバック情報を送信する方法であって、
第二端末デバイスはデバイス間Ｄ２Ｄ方式で第一端末デバイスに第一メッセージを送信することと、
前記第二端末デバイスは前記第一端末デバイスに第一指示情報を送信することと、
を含み、
前記第一指示情報はフィードバックリソースを指示するために用いられ、前記フィードバックリソースは、前記第一端末デバイスがＤ２Ｄ方式で前記第二端末デバイスに前記第一メッセージに対するフィードバック情報を送信するときに使用されるリソースである、
ことを特徴とするフィードバック情報を送信する方法。
【請求項１７】
前記第二端末デバイスは前記第一端末デバイスに第一指示情報を送信する前に、前記方法は、
前記第二端末デバイスはネットワークデバイスから送信する第二指示情報を受信することと、
前記第二端末デバイスは前記第二指示情報に基づいて前記第一指示情報を生成することと、
をさらに含み、
前記第二指示情報は前記フィードバックリソースを指示するために用いられる、
ことを特徴とする請求項１６に記載の方法。
【請求項１８】
前記第一指示情報は、前記フィードバックリソースの時間情報及び/又は周波数情報を指示するために用いられる、
ことを特徴とする請求項１６又は１７に記載の方法。
【請求項１９】
前記フィードバックリソースは、前記第二端末デバイスの時間及び/又は周波数を同期参考とする、
ことを特徴とする請求項１６〜１８のいずれか一項に記載の方法。
【請求項２０】
前記フィードバックリソースは、前記ネットワークデバイスの時間及び/又は周波数を同期参考とする、
ことを特徴とする請求項１６〜１８のいずれか一項に記載の方法。
【請求項２１】
前記フィードバックリソースは、グローバルナビゲーション衛星システム（ＧＮＳＳ）の時間及び/又は周波数を同期参考とする、
ことを特徴とする請求項１６〜１８のいずれか一項に記載の方法。
【請求項２２】
前記フィードバック情報は、確認（ＡＣＫ）情報、非確認（ＮＡＣＫ）情報、チャネル品質情報、パワー制御情報、マルチアンテナ方案のうちの少なくとも１つを含む、
ことを特徴とする請求項１６〜２１のいずれか一項に記載の方法。
【請求項２３】
前記第一メッセージは、前記第二端末デバイスから前記第一端末デバイスに送信するデータ情報、制御情報又は参照信号を含む、
ことを特徴とする請求項１６〜２２のいずれか一項に記載の方法。
【請求項２４】
フィードバック情報を送信する方法であって、
ネットワークデバイスは第一端末デバイスに第一指示情報を送信することと、
又は、前記ネットワークデバイスは第二端末デバイスに第二指示情報を送信することと、
を含み、
前記第二指示情報は、前記第二端末デバイスによって第一指示情報を生成し且つ前記第一指示情報を前記第一端末デバイスに送信するために用いられ、
前記第一指示情報はフィードバックリソースを指示するために用いられ、前記フィードバックリソースは、前記第一端末デバイスがデバイス間Ｄ２Ｄ方式で前記第二端末デバイスに送信する、前記第二端末デバイスから送信された第一メッセージに対するフィードバック情報を載せるために用いられる、
ことを特徴とするフィードバック情報を送信する方法。
【請求項２５】
前記第一指示情報は、前記フィードバックリソースの時間情報及び/又は周波数情報を指示するために用いられる、
ことを特徴とする請求項２４に記載の方法。
【請求項２６】
前記ネットワークデバイスは第一端末デバイスに第一指示情報を送信する前に、前記方法は、
前記ネットワークデバイスは前記第一端末デバイスから送信するリソース請求メッセージを受信することをさらに含む、
ことを特徴とする請求項２４又は２５に記載の方法。
【請求項２７】
前記リソース請求メッセージは、前記第一端末デバイスが請求するフィードバックリソースの時間情報及び/又は周波数情報を含む、
ことを特徴とする請求項２６に記載の方法。
【請求項２８】
前記リソース請求メッセージは、アップリンク制御チャネル（ＰＵＣＣＨ）、メディアアクセス制御（ＭＡＣ）制御要素（ＣＥ）又は無線リソース制御（ＲＲＣ）シグナリングで載せる、
ことを特徴とする請求項２６又は２７に記載の方法。
【請求項２９】
前記フィードバックリソースは、前記第二端末デバイスの時間及び/又は周波数を同期参考とする、
ことを特徴とする請求項２４〜２８のいずれか一項に記載の方法。
【請求項３０】
前記フィードバックリソースは、前記ネットワークデバイスの時間及び/又は周波数を同期参考とする、
ことを特徴とする請求項２４〜２８のいずれか一項に記載の方法。
【請求項３１】
前記フィードバックリソースは、グローバルナビゲーション衛星システム（ＧＮＳＳ）の時間及び/又は周波数を同期参考とする、
ことを特徴とする請求項２４〜２８のいずれか一項に記載の方法。
【請求項３２】
前記フィードバック情報は、確認（ＡＣＫ）情報、非確認（ＮＡＣＫ）情報、チャネル品質情報、パワー制御情報、マルチアンテナ方案のうちの少なくとも１つを含む、
ことを特徴とする請求項２４〜３１のいずれか一項に記載の方法。
【請求項３３】
前記第一メッセージは、前記第二端末デバイスから前記第一端末デバイスに送信するデータ情報、制御情報又は参照信号を含む、
ことを特徴とする請求項２４〜３２のいずれか一項に記載の方法。
【請求項３４】
データを再送信する方法であって、
第二端末デバイスはデバイス間Ｄ２Ｄ方式で第一端末デバイスに第一データを送信することと、
前記第二端末デバイスは再送信リソースを取得することと、
前記第二端末デバイスは、前記第一データに対する前記第一端末デバイスのフィードバック情報に基づいて、前記再送信リソース上でＤ２Ｄ方式で前記第一端末デバイスに前記第一データを再送信することと、
を含む、
ことを特徴とするデータを再送信する方法。
【請求項３５】
前記第二端末デバイスは再送信リソースを取得することは、
前記第二端末デバイスはネットワークデバイスから送信された指示情報に基づいて再送信リソースを取得することを含む、
ことを特徴とする請求項３４に記載の方法。
【請求項３６】
前記第二端末デバイスはネットワークデバイスから送信された指示情報に基づいて再送信リソースを取得する前に、前記方法は、
前記第二端末デバイスは前記ネットワークデバイスにリソース請求メッセージを送信することをさらに含む、
ことを特徴とする請求項３５に記載の方法。
【請求項３７】
前記第二端末デバイスは前記ネットワークデバイスにリソース請求メッセージを送信することは、
前記第二端末デバイスは、前記第一データに対する前記第一端末デバイスのフィードバック情報に基づいて、前記ネットワークデバイスにリソース請求メッセージを送信することを含む、
ことを特徴とする請求項３６に記載の方法。
【請求項３８】
前記リソース請求メッセージは、前記第一データに対する前記第一端末デバイスのフィードバック情報を含む、
ことを特徴とする請求項３６又は３７に記載の方法。
【請求項３９】
前記リソース請求メッセージは、前記第二端末デバイスが請求する再送信リソースの時間情報及び/又は周波数情報を含む、
ことを特徴とする請求項３６〜３８のいずれか一項に記載の方法。
【請求項４０】
前記フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、ＤＴＸ（ｄｉｓｃｏｎｔｉｎｕｏｕｓ  ｔｒａｎｓｍｉｓｓｉｏｎ）のうちの少なくとも１つを含む、
ことを特徴とする請求項３４〜３９のいずれか一項に記載の方法。
【請求項４１】
前記リソース請求メッセージの送信に使用されるリソースは、前記ネットワークデバイスが指示するリソースである、
ことを特徴とする請求項３６〜４０のいずれか一項に記載の方法。
【請求項４２】
前記ネットワークデバイスが指示するリソースは制御情報によって指示し、前記制御情報は前記第二端末デバイスが前記第一データを送信するために使用されるリソースを指示する、
ことを特徴とする請求項４１に記載の方法。
【請求項４３】
前記リソース請求メッセージを送信するために使用されるリソースは、物理アップリンク制御チャネル（ＰＵＣＣＨ）又は物理アップリンク共有チャネル（ＰＵＳＣＨ）である、
ことを特徴とする請求項３６〜４２のいずれか一項に記載の方法。
【請求項４４】
前記リソース請求メッセージは、ＰＵＣＣＨのスケジューリング請求（ＳＲ）メッセージ、ＰＵＣＣＨのＡＣＫ/ ＮＡＣＫメッセージ、メディアアクセス制御制御要素（ＭＡＣ  ＣＥ）、又は無線リソース制御（ＲＲＣ）シグナリングで載せる、
ことを特徴とする請求項３６〜４３のいずれか一項に記載の方法。
【請求項４５】
前記リソース請求メッセージは、バッファステータスレポート（ｂｕｆｆｅｒｓｔａｔｕｓ  ｒｅｐｏｒｔ，ＢＳＲ）で載せる、
ことを特徴とする請求項３６〜４４のいずれか一項に記載の方法。
【請求項４６】
前記第二端末デバイスは前記再送信リソース上でＤ２Ｄ方式で前記第一端末デバイスに前記第一データを再送信する前に、前記方法は、
前記第二端末デバイスは自律的にリソースを選択する方式によって再送信リソースを取得することをさらに含む、
ことを特徴とする請求項３４〜４５のいずれか一項に記載の方法。
【請求項４７】
データを再送信する方法であって、
第一端末デバイスはデバイス間Ｄ２Ｄ方式で第二端末デバイスから送信する第一データを受信することと、
前記第一端末デバイスはＤ２Ｄ方式で前記第二端末デバイスに前記第一データに対するフィードバック情報を送信することと、
前記第一端末デバイスはＤ２Ｄ方式で前記第二端末デバイスから再送信する前記第一データを受信することと、
を含む、
ことを特徴とする方法。
【請求項４８】
前記フィードバック情報は、ＡＣＫ情報、ＮＡＣＫ情報、ＤＴＸのうちの少なくとも１つを含む、
ことを特徴とする請求項４７に記載の方法。
【請求項４９】
データを再送信する方法であって、
ネットワークデバイスは第二端末デバイスに指示情報を送信することを含み、
前記指示情報は再送信リソースを指示するために用いられ、前記再送信リソースは第一データを載せるために用いられ、前記第二端末デバイスから送信する第一データに対する第一端末デバイスのフィードバック情報に基づいて、前記第二端末デバイスはデバイス間Ｄ２Ｄ方式で前記第一端末デバイスに第一データを再送信する、
ことを特徴とするデータを再送信する方法。
【請求項５０】
前記ネットワークデバイスは第二端末デバイスに指示情報を送信する前に、前記方法は、
前記ネットワークデバイスは前記第二端末デバイスから送信するリソース請求メッセージを受信することをさらに含む、
ことを特徴とする請求項４９に記載の方法。
【請求項５１】
前記リソース請求メッセージは、前記第一データに対する前記第一端末デバイスのフィードバック情報を含む、
ことを特徴とする請求項５０に記載の方法。
【請求項５２】
前記リソース請求メッセージは、前記第二端末デバイスが請求する再送信リソースの時間情報及び/又は周波数情報を含む、
ことを特徴とする請求項５０又は５１に記載の方法。
【請求項５３】
前記フィードバック情報は、ＡＣＫ情報、ＮＡＣＫ情報、ＤＴＸのうちの少なくとも１つを含む、
ことを特徴とする請求項４９〜５２のいずれか一項に記載の方法。
【請求項５４】
前記方法は、
前記ネットワークデバイスは前記第二端末デバイスに前記リソース請求メッセージの送信に使用されるリソースを指示する指示情報を送信することをさらに含む、
ことを特徴とする請求項４９〜５３のいずれか一項に記載の方法。
【請求項５５】
前記ネットワークデバイスは制御情報によってリソース請求メッセージの送信に使用されるリソースを指示し、前記制御情報は前記第二端末デバイスが第一データを送信するために使用されるリソースを指示する、
ことを特徴とする請求項５４に記載の方法。
【請求項５６】
前記リソース請求メッセージを送信するために使用されるリソースは、物理アップリンク制御チャネル（ＰＵＣＣＨ）又は物理アップリンク共有チャネル（ＰＵＳＣＨ）である、
ことを特徴とする請求項５０〜５５のいずれか一項に記載の方法。
【請求項５７】
前記リソース請求メッセージは、ＰＵＣＣＨのスケジューリング請求（ＳＲ）メッセージ、ＰＵＣＣＨのＡＣＫ/ ＮＡＣＫメッセージ、メディアアクセス制御制御要素（ＭＡＣ  ＣＥ）、又は無線リソース制御（ＲＲＣ）シグナリングで載せる、
ことを特徴とする請求項５０〜５６のいずれか一項に記載の方法。
【請求項５８】
前記リソース請求メッセージは、バッファステータスレポート（ｂｕｆｆｅｒｓｔａｔｕｓ  ｒｅｐｏｒｔ，ＢＳＲ）で載せる、
ことを特徴とする請求項５０〜５７のいずれか一項に記載の方法。
【請求項５９】
第一端末デバイスであって、
処理ユニット及び通信ユニットを含み、
前記処理ユニットは、第一指示情報に基づいてフィードバックリソースを取得するために用いられ、前記フィードバックリソースは、第二端末デバイスから送信する第一メッセージに対する前記第一端末デバイスのフィードバック情報を載せるために用いられ、
前記通信ユニットは、前記フィードバックリソース上でデバイス間Ｄ２Ｄ方式で前記第二端末デバイスにフィードバック情報を送信するために用いられる、
ことを特徴とする第一端末デバイス。
【請求項６０】
前記通信ユニットは、さらに、前記第二端末デバイスから送信する第一指示情報を受信するために用いられる、
ことを特徴とする請求項５９に記載の第一端末デバイス。
【請求項６１】
前記処理ユニットは、さらに、前記第一指示情報を予め設置するために用いられる、
ことを特徴とする請求項５９に記載の第一端末デバイス。
【請求項６２】
前記通信ユニットは、さらに、前記ネットワークデバイスから送信する第一指示情報を受信するために用いられる、
ことを特徴とする請求項５９に記載の第一端末デバイス。
【請求項６３】
前記第一指示情報は、前記フィードバックリソースの時間情報及び/又は周波数情報を指示するために用いられる、
ことを特徴とする請求項５９〜６２のいずれか一項に記載の第一端末デバイス。
【請求項６４】
前記第一指示情報は利用可能なフィードバックリソースセット指示するために用いられ、
前記処理ユニットは、さらに前記フィードバックリソースセットからフィードバックリソースを選択するために用いられる、
ことを特徴とする請求項５９〜６３のいずれか一項に記載の第一端末デバイス。
【請求項６５】
前記通信ユニットは、さらに前記ネットワークデバイスにリソース請求メッセージを送信するために用いられる、
ことを特徴とする請求項６２〜６４のいずれか一項に記載の第一端末デバイス。
【請求項６６】
前記リソース請求メッセージは、前記第一端末デバイスが請求するフィードバックリソースの時間情報及び/又は周波数情報を含む、
ことを特徴とする請求項６５に記載の第一端末デバイス。
【請求項６７】
前記リソース請求メッセージは、アップリンク制御チャネル（ＰＵＣＣＨ）、メディアアクセス制御制御要素（ＭＡＣ  ＣＥ）、又は無線リソース制御（ＲＲＣ）シグナリングで載せる、
ことを特徴とする請求項６５又は６６に記載の第一端末デバイス。
【請求項６８】
前記処理ユニットは、さらに自律的にリソースを選択する方式によって前記フィードバックリソースを取得するために用いられる、
ことを特徴とする請求項５９〜６７のいずれか一項に記載の第一端末デバイス。
【請求項６９】
前記フィードバックリソースは、前記第二端末デバイスの時間及び/又は周波数を同期参考とする、
ことを特徴とする請求項５９〜６８のいずれか一項に記載の第一端末デバイス。
【請求項７０】
前記フィードバックリソースは、前記ネットワークデバイスの時間及び/又は周波数を同期参考とする、
ことを特徴とする請求項５９〜６８のいずれか一項に記載の第一端末デバイス。
【請求項７１】
前記フィードバックリソースは、グローバルナビゲーション衛星システ（ＧＮＳＳ）の時間及び/又は周波数を同期参考とする、
ことを特徴とする請求項５９〜６８のいずれか一項に記載の第一端末デバイス。
【請求項７２】
前記フィードバック情報は、ＡＣＫ情報、ＮＡＣＫ情報、チャネル品質情報、パワー制御情報及びマルチアンテナ方案のうちの少なくとも1つを含む、
ことを特徴とする請求項５９〜７１のいずれか一項に記載の第一端末デバイス。
【請求項７３】
前記第一メッセージは、前記第二端末デバイスから前記第一端末デバイスに送信するデータ情報、制御情報又は参照信号を含む、
ことを特徴とする請求項５９〜７２のいずれか一項に記載の第一端末デバイス。
【請求項７４】
第二端末デバイスであって、
デバイス間Ｄ２Ｄ方式で第一端末デバイスに第一メッセージを送信するために用いられる通信ユニットを含み、
前記通信ユニットは、さらに前記第一端末デバイスに第一指示情報を送信するために用いられ、前記第一指示情報はフィードバックリソースを指示するために用いられ、前記フィードバックリソースは、前記第一端末デバイスがＤ２Ｄ方式で前記第二端末デバイスに前記第一メッセージのフィードバック情報を送信するために用いられるリソースである、
ことを特徴とする第二端末デバイス。
【請求項７５】
前記通信ユニットは、さらにネットワークデバイスから送信する第二指示情報を受信するために用いられ、前記第二指示情報は前記フィードバックリソースを指示するために用いられ、
前記第二端末デバイスは、前記第二指示情報に基づいて前記第一指示情報を生成するために用いられる処理ユニットをさらに含む、
ことを特徴とする請求項７４に記載の第二端末デバイス。
【請求項７６】
前記第一指示情報は、前記フィードバックリソースの時間情報及び/又は周波数情報を指示するために用いられる、
ことを特徴とする請求項７４又は７５に記載の第二端末デバイス。
【請求項７７】
前記フィードバックリソースは、前記第二端末デバイスの時間及び/又は周波数を同期参考とする、
ことを特徴とする請求項７４〜７６のいずれか一項に記載の第二端末デバイス。
【請求項７８】
前記フィードバックリソースは、前記ネットワークデバイスの時間及び/又は周波数を同期参考とする、
ことを特徴とする請求項７４〜７６のいずれか一項に記載の第二端末デバイス。
【請求項７９】
前記フィードバックリソースは、グローバルナビゲーション衛星システ（ＧＮＳＳ）の時間及び/又は周波数を同期参考とする、
ことを特徴とする請求項７４〜７６のいずれか一項に記載の第二端末デバイス。
【請求項８０】
前記フィードバック情報は、ＡＣＫ情報、ＮＡＣＫ情報、チャネル品質情報、パワー制御情報及びマルチアンテナ方案のうちの少なくとも１つを含む、
ことを特徴とする請求項７４〜７９いずれか一項に記載の第二端末デバイス。
【請求項８１】
前記第一メッセージは、前記第二端末デバイスから前記第一端末デバイスに送信するデータ情報、制御情報又は参照信号を含む、
ことを特徴とする請求項７４〜８０いずれか一項に記載の第二端末デバイス。
【請求項８２】
ネットワークデバイスであって、
第一端末デバイスに第一指示情報を送信するか、又は第二端末デバイスに第二指示情報を送信するために用いられる通信ユニットを含み、
前記第二指示情報は、前記第二端末デバイスによって第一指示情報を生成し且つ前記第一指示情報を前記第一端末デバイスに送信するために用いられ、
前記第一指示情報はフィードバックリソースを指示するために用いられ、前記フィードバックリソースは、前記第一端末デバイスがデバイス間Ｄ２Ｄ方式で前記第二端末デバイスに送信する、前記第二端末デバイスから送信された第一メッセージに対するフィードバック情報を載せるために用いられる、
ために用いられる通信ユニットを含み、
ことを特徴とするネットワークデバイス。
【請求項８３】
前記第一指示情報は、前記フィードバックリソースの時間情報及び/又は周波数情報を指示するために用いられる、
ことを特徴とする請求項８２に記載のネットワークデバイス。
【請求項８４】
前記通信ユニットは、さらに、前記第一端末デバイスから送信するリソース請求メッセージを受信するために用いられる、
ことを特徴とする請求項８２又は８３に記載のネットワークデバイス。
【請求項８５】
前記リソース請求メッセージは、前記第一端末デバイスが請求するフィードバックリソースの時間情報及び/又は周波数情報を含む、
ことを特徴とする請求項８４に記載のネットワークデバイス。
【請求項８６】
前記リソース請求メッセージは、アップリンク制御チャネル（ＰＵＣＣＨ）、メディアアクセス制御（ＭＡＣ）制御要素（ＣＥ）又は無線リソース制御（ＲＲＣ）シグナリングで載せる、
ことを特徴とする請求項８４又は８５に記載のネットワークデバイス。
【請求項８７】
前記フィードバックリソースは、前記第二端末デバイスの時間及び/又は周波数を同期参考とする、
ことを特徴とする請求項８２〜８６のいずれか一項に記載のネットワークデバイス。
【請求項８８】
前記フィードバックリソースは、前記ネットワークデバイスの時間及び/又は周波数を同期参考とする、
ことを特徴とする請求項８２〜８６のいずれか一項に記載のネットワークデバイス。
【請求項８９】
前記フィードバックリソースは、グローバルナビゲーション衛星システム（ＧＮＳＳ）の時間及び/又は周波数を同期参考とする、
ことを特徴とする請求項８２〜８６のいずれか一項に記載のネットワークデバイス。  
【請求項９０】
前記フィードバック情報は、ＡＣＫ情報、ＮＡＣＫ情報、チャネル品質情報、パワー制御情報、マルチアンテナ方案のうちの少なくとも１つを含む、
ことを特徴とする請求項８２〜８９のいずれか一項に記載のネットワークデバイス。
【請求項９１】
前記第一メッセージは、前記第二端末デバイスから前記第一端末デバイスに送信するデータ情報、制御情報又は参照信号を含む、
ことを特徴とする請求項８２〜９０のいずれか一項に記載のネットワークデバイス。
【請求項９２】
第二端末デバイスであって、
デバイス間Ｄ２Ｄ方式で第一端末デバイスに第一データを送信するために用いられる通信ユニットと、
再送信リソースを取得するために用いられる処理ユニットと、
を含み、
前記通信ユニットは、さらに、前記第一データに対する前記第一端末デバイスのフィードバック情報に基づいて、前記再送信リソース上でＤ２Ｄ方式によって前記第一端末デバイスに前記第一データを再送信するために用いられる、
ことを特徴とする第二端末デバイス。
【請求項９３】
前記処理ユニットは、具体的に、ネットワークデバイスから送信された指示情報に基づいて再送信リソースを取得するために用いられる、
ことを特徴とする請求項９２に記載の第二端末デバイス。
【請求項９４】
前記通信ユニットは、さらに、前記ネットワークデバイスにリソース請求メッセージを送信するために用いられる、
ことを特徴とする請求項９３に記載の第二端末デバイス。
【請求項９５】
前記通信ユニットは、具体的に、前記第一データに対する前記第一端末デバイスのフィードバック情報に基づいて、前記ネットワークデバイスに前記リソース請求メッセージを送信するために用いられる、
ことを特徴とする請求項９４に記載の第二端末デバイス。
【請求項９６】
前記リソース請求メッセージは、前記第一データに対する前記第一端末デバイスのフィードバック情報を含む、
ことを特徴とする請求項９４又は９５に記載の第二端末デバイス。
【請求項９７】
前記リソース請求メッセージは、前記第二端末デバイスが請求する再送信リソースの時間情報及び/又は周波数情報を含む、
ことを特徴とする請求項９４〜９６のいずれか一項に記載の第二端末デバイス。
【請求項９８】
前記フィードバック情報は、ＡＣＫ情報、ＮＡＣＫ情報、ＤＴＸのうちの少なくとも１つを含む、
ことを特徴とする請求項９２〜９７のいずれか一項に記載の第二端末デバイス。
【請求項９９】
前記リソース請求メッセージの送信に使用されるリソースは、前記ネットワークデバイスが指示するリソースである、
ことを特徴とする請求項９４〜９８のいずれか一項に記載の第二端末デバイス。
【請求項１００】
前記ネットワークデバイスが指示するリソースは制御情報によって指示し、前記制御情報は前記第二端末デバイスが前記第一データを送信するために使用されるリソースを指示する、
ことを特徴とする請求項９９に記載の第二端末デバイス。
【請求項１０１】
前記リソース請求メッセージを送信するために使用されるリソースは、物理アップリンク制御チャネル（ＰＵＣＣＨ）又は物理アップリンク共有チャネル（ＰＵＳＣＨ）である、
ことを特徴とする請求項９４〜１００のいずれか一項に記載の第二端末デバイス。
【請求項１０２】
前記リソース請求メッセージは、ＰＵＣＣＨのスケジューリング請求（ＳＲ）メッセージ、ＰＵＣＣＨのＡＣＫ/ ＮＡＣＫメッセージ、メディアアクセス制御制御要素（ＭＡＣ  ＣＥ）又は無線リソース制御（ＲＲＣ）シグナリングで載せる、
ことを特徴とする請求項９４〜１０１のいずれか一項に記載の第二端末デバイス。
【請求項１０３】
前記リソース請求メッセージは、バッファステータスレポート（ＢＳＲ）で載せる、
ことを特徴とする請求項９４〜１０２のいずれか一項に記載の第二端末デバイス。
【請求項１０４】
前記通信ユニットは、さらに自律的にリソースを選択する方式によって前記再送信リソースを取得するために用いられる、
ことを特徴とする請求項９２〜１０３のいずれか一項に記載の第二端末デバイス。
【請求項１０５】
第一端末デバイスであって、
デバイス間Ｄ２Ｄ方式で第二端末デバイスから送信する第一データを受信するために用いられる通信ユニットを含み、
前記通信ユニットは、さらに、Ｄ２Ｄ方式で前記第二端末デバイスに前記第一データに対するフィードバック情報を送信するために用いられ、
前記通信ユニットは、さらに、Ｄ２Ｄ方式で前記第二端末デバイスから再送信する前記第一データを受信するために用いられる、
ことを特徴とする第一端末デバイス。
【請求項１０６】
前記フィードバック情報は、ＡＣＫ情報、ＮＡＣＫ情報、ＤＴＸのうちの少なくとも１つを含む、
ことを特徴とする請求項１０５に記載の第一端末デバイス。
【請求項１０７】
ネットワークデバイスであって、
第二端末デバイスに指示情報を送信するために用いられる通信ユニットを含み、
前記指示情報は再送信リソースを指示するために用いられ、前記再送信リソースは第一データを載せるために用いられ、前記第二端末デバイスから送信する第一データに対する第一端末デバイスのフィードバック情報に基づいて、前記第二端末デバイスはデバイス間Ｄ２Ｄ方式で前記第一端末デバイスに第一データを再送信する、
ことを特徴とするネットワークデバイス。
【請求項１０８】
前記通信ユニットは、さらに、前記第二端末デバイスから送信するリソース請求メッセージを受信するために用いられる、
ことを特徴とする請求項１０７に記載のネットワークデバイス。
【請求項１０９】
前記リソース請求メッセージは、前記第一データに対する前記第一端末デバイスのフィードバック情報を含む、
ことを特徴とする請求項１０８に記載のネットワークデバイス。
【請求項１１０】
前記リソース請求メッセージは、前記第二端末デバイスが請求する再送信リソースの時間情報及び/又は周波数情報を含む、
ことを特徴とする請求項１０８又は１０９に記載のネットワークデバイス。
【請求項１１１】
前記フィードバック情報は、ＡＣＫ情報、ＮＡＣＫ情報、ＤＴＸのうちの少なくとも１つを含む、
ことを特徴とする請求項１０７〜１１０のいずれか一項に記載のネットワークデバイス。
【請求項１１２】
前記通信ユニットは、さらに、前記第二端末デバイスにリソース請求メッセージの送信に使用されるリソースを指示する指示情報を送信するために用いられる、
ことを特徴とする請求項１０９〜１１１のいずれか一項に記載のネットワークデバイス。
【請求項１１３】
前記ネットワークデバイスが指示するリソース請求メッセージを送信するために使用されるリソースは制御情報によって指示し、前記制御情報は前記第二端末デバイスが前記第一データを送信するために使用されるリソースを指示する、
ことを特徴とする請求項１１２に記載のネットワークデバイス。
【請求項１１４】
前記リソース請求メッセージを送信するために使用されるリソースは、物理アップリンク制御チャネル（ＰＵＣＣＨ）又は物理アップリンク共有チャネル（ＰＵＳＣＨ）である、
ことを特徴とする請求項１０８〜１１３のいずれか一項に記載のネットワークデバイス。
【請求項１１５】
前記リソース請求メッセージは、ＰＵＣＣＨのスケジューリング請求（ＳＲ）メッセージ、ＰＵＣＣＨのＡＣＫ/ ＮＡＣＫメッセージ、メディアアクセス制御制御要素（ＭＡＣ ＣＥ）又は無線リソース制御（ＲＲＣ）シグナリングで載せる、
ことを特徴とする請求項１０８〜１１４のいずれか一項に記載のネットワークデバイス。
【請求項１１６】
前記リソース請求メッセージは、バッファステータスレポート（ＢＳＲ）で載せる、
ことを特徴とする請求項１０８〜１１５のいずれか一項に記載のネットワークデバイス。
【請求項１１７】
プロセッサ及びメモリを含む端末デバイスであって、
前記メモリは、コンピュータプログラムを格納するために用いられ、
前記プロセッサは、前記メモリに格納されたコンピュータプログラムを呼び出して実行することにより、請求項１〜１５のいずれか一項に記載の方法を実行するために用いられる、
ことを特徴とする端末デバイス。
【請求項１１８】
プロセッサ及びメモリを含む端末デバイスであって、
前記メモリは、コンピュータプログラムを格納するために用いられ、
前記プロセッサは、前記メモリに格納されたコンピュータプログラムを呼び出して実行することにより、請求項１６〜２３のいずれか一項に記載の方法を実行するために用いられる、
ことを特徴とする端末デバイス。
【請求項１１９】
プロセッサ及びメモリを含む端末デバイスであって、
前記メモリは、コンピュータプログラムを格納するために用いられ、
前記プロセッサは、前記メモリに格納されたコンピュータプログラムを呼び出して実行することにより、請求項２４〜３３のいずれか一項に記載の方法を実行するために用いられる、
ことを特徴とするネットワークデバイス。
【請求項１２０】
プロセッサ及びメモリを含む端末デバイスであって、
前記メモリは、コンピュータプログラムを格納するために用いられ、
前記プロセッサは、前記メモリに格納されたコンピュータプログラムを呼び出して実行することにより、請求項３４〜４６のいずれか一項に記載の方法を実行するために用いられる、
ことを特徴とする端末デバイス。
【請求項１２１】
プロセッサ及びメモリを含む端末デバイスであって、
前記メモリは、コンピュータプログラムを格納するために用いられ、
前記プロセッサは、前記メモリに格納されたコンピュータプログラムを呼び出して実行することにより、請求項４７〜４８のいずれか一項に記載の方法を実行するために用いられる、
ことを特徴とする端末デバイス。
【請求項１２２】
プロセッサ及びメモリを含む端末デバイスであって、
前記メモリは、コンピュータプログラムを格納するために用いられ、
前記プロセッサは、前記メモリに格納されたコンピュータプログラムを呼び出して実行することにより、請求項４９〜５８のいずれか一項に記載の方法を実行するために用いられる、
ことを特徴とするネットワークデバイス。
【請求項１２３】
プロセッサを含むチップであって、
前記プロセッサは、メモリからコンピュータプログラムを呼び出して実行することにより、前記チップがインストールされたデバイスに請求項１〜１５のいずれか一項に記載の方法を実行させるために用いられる、
ことを特徴とするチップ。
【請求項１２４】
プロセッサを含むチップであって、
前記プロセッサは、メモリからコンピュータプログラムを呼び出して実行することにより、前記チップがインストールされたデバイスに請求項１６〜２３のいずれか一項に記載の方法を実行させるために用いられる、
ことを特徴とするチップ。
【請求項１２５】
プロセッサを含むチップであって、
前記プロセッサは、メモリからコンピュータプログラムを呼び出して実行することにより、前記チップがインストールされたデバイスに請求項２４〜３３のいずれか一項に記載の方法を実行させるために用いられる、
ことを特徴とするチップ。
【請求項１２６】
プロセッサを含むチップであって、
前記プロセッサは、メモリからコンピュータプログラムを呼び出して実行することにより、前記チップがインストールされたデバイスに請求項３４〜４６のいずれか一項に記載の方法を実行させるために用いられる、
ことを特徴とするチップ。
【請求項１２７】
プロセッサを含むチップであって、
前記プロセッサは、メモリからコンピュータプログラムを呼び出して実行することにより、前記チップがインストールされたデバイスに請求項４７〜４８のいずれか一項に記載の方法を実行させるために用いられる、
ことを特徴とするチップ。
【請求項１２８】
プロセッサを含むチップであって、
前記プロセッサは、メモリからコンピュータプログラムを呼び出して実行することにより、前記チップがインストールされたデバイスに請求項４９〜５８のいずれか一項に記載の方法を実行させるために用いられる、
ことを特徴とするチップ。
【請求項１２９】
コンピュータ可読記憶媒体であって、
コンピュータプログラムを格納するために用いられ、前記コンピュータプログラムはコンピュータに請求項１〜１５のいずれか一項に記載の方法を実行させる、
ことを特徴とするコンピュータ可読記憶媒体。
【請求項１３０】
コンピュータ可読記憶媒体であって、
コンピュータプログラムを格納するために用いられ、前記コンピュータプログラムはコンピュータに請求項１６〜２３のいずれか一項に記載の方法を実行させる、
ことを特徴とするコンピュータ可読記憶媒体。
【請求項１３１】
コンピュータ可読記憶媒体であって、
コンピュータプログラムを格納するために用いられ、前記コンピュータプログラムはコンピュータに請求項２４〜３３のいずれか一項に記載の方法を実行させる、
ことを特徴とするコンピュータ可読記憶媒体。
【請求項１３２】
コンピュータ可読記憶媒体であって、
コンピュータプログラムを格納するために用いられ、前記コンピュータプログラムはコンピュータに請求項３４〜４６のいずれか一項に記載の方法を実行させる、
ことを特徴とするコンピュータ可読記憶媒体。
【請求項１３３】
コンピュータ可読記憶媒体であって、
コンピュータプログラムを格納するために用いられ、前記コンピュータプログラムはコンピュータに請求項４７〜４８のいずれか一項に記載の方法を実行させる、
ことを特徴とするコンピュータ可読記憶媒体。
【請求項１３４】
コンピュータ可読記憶媒体であって、
コンピュータプログラムを格納するために用いられ、前記コンピュータプログラムはコンピュータに請求項４９〜５８のいずれか一項に記載の方法を実行させる、
ことを特徴とするコンピュータ可読記憶媒体。
【請求項１３５】
コンピュータプログラム製品であって、
コンピュータプログラム命令を含み、前記コンピュータプログラム命令はコンピュータに請求項１〜１５のいずれか一項に記載の方法を実行させる、
ことを特徴とするコンピュータプログラム製品。
【請求項１３６】
コンピュータプログラム製品であって、
コンピュータプログラム命令を含み、前記コンピュータプログラム命令はコンピュータに請求項１６〜２３のいずれか一項に記載の方法を実行させる、
ことを特徴とするコンピュータプログラム製品。
【請求項１３７】
コンピュータプログラム製品であって、
コンピュータプログラム命令を含み、前記コンピュータプログラム命令はコンピュータに請求項２４〜３３のいずれか一項に記載の方法を実行させる、
ことを特徴とするコンピュータプログラム製品。
【請求項１３８】
コンピュータプログラム製品であって、
コンピュータプログラム命令を含み、前記コンピュータプログラム命令はコンピュータに請求項３４〜４６のいずれか一項に記載の方法を実行させる、
ことを特徴とするコンピュータプログラム製品。
【請求項１３９】
コンピュータプログラム製品であって、
コンピュータプログラム命令を含み、前記コンピュータプログラム命令はコンピュータに請求項４７〜４８のいずれか一項に記載の方法を実行させる、
ことを特徴とするコンピュータプログラム製品。
【請求項１４０】
コンピュータプログラム製品であって、
コンピュータプログラム命令を含み、前記コンピュータプログラム命令はコンピュータに請求項４９〜５８のいずれか一項に記載の方法を実行させる、
ことを特徴とするコンピュータプログラム製品。
【請求項１４１】
コンピュータプログラムであって、
コンピュータに請求項１〜１５のいずれか一項に記載の方法を実行させる、
ことを特徴とするコンピュータプログラム。
【請求項１４２】
コンピュータプログラムであって、
コンピュータに請求項１６〜２３のいずれか一項に記載の方法を実行させる、
ことを特徴とするコンピュータプログラム。
【請求項１４３】
コンピュータプログラムであって、
コンピュータに請求項２４〜３３のいずれか一項に記載の方法を実行させる、
ことを特徴とするコンピュータプログラム。
【請求項１４４】
コンピュータプログラムであって、
コンピュータに請求項３４〜４６のいずれか一項に記載の方法を実行させる、
ことを特徴とするコンピュータプログラム。
【請求項１４５】
コンピュータプログラムであって、
コンピュータに請求項４７〜４８のいずれか一項に記載の方法を実行させる、
ことを特徴とするコンピュータプログラム。
【請求項１４６】
コンピュータプログラムであって、
コンピュータに請求項４９〜５８のいずれか一項に記載の方法を実行させる、
ことを特徴とするコンピュータプログラム。
【発明の詳細な説明】
【技術分野】
【０００１】
本発明は、通信技術分野に関し、さらに具体的に、フィードバック情報を送信する方法及びデバイス、データを再送信する方法及びデバイスに関する。
【背景技術】
【０００２】
カーネットワーキングシステム（Ｃａｒ  ｎｅｔｗｏｒｋｉｎｇ  ｓｙｓｔｅｍ）は、ＬＴＥ  Ｖ２Ｖ（ｌｏｎｇ  ｔｅｒｍ  ｅｖａｌｕａｔｉｏｎ  ｖｅｈｉｃｌｅ  ｔｏ  ｖｅｈｉｃｌｅ）に基づくサイドリンク（ｓｉｄｅ  ｌｉｎｋ，ＳＬ）伝送技術である。基地局を介して通信データを送受信する従来のLTEシステムとは異なり、カーネットワーキングシステムは端末間直接通信を採用しているので、スペクトル効率がさらに高く、伝送遅延がさらに低い。
【０００３】
カーネットワーキングシステムにおいて、第一端末デバイスから送信されたデータは第二端末デバイスに直接に送信することができ、ネットワークデバイスを介してルーティングすることを必要としなく、第一端末デバイスと第二端末デバイスとの間で直接にデータを送信することができる。カーネットワーキングシステムにおいて、どのようにデータ送信の信頼性を確保するかは、解決すべき問題になっている。
【発明の概要】
【０００４】
本出願の実施形態は、フィードバック情報を送信する方法及びデバイスとデータを再送信する方法及びデバイスを提供し、端末デバイスがＤ２Ｄ方式を介して通信する場合、通信システムの信頼性を向上させることができる。
【０００５】
第一態様において、フィードバック情報を送信する方法を提供し、第一端末デバイスは第一指示情報に基づいてフィードバックリソースを取得することと、第一端末デバイスはフィードバックリソース上でデバイス間Ｄ２Ｄ方式で第二端末デバイスにフィードバック情報を送信することと、を含み、フィードバックリソースは第二端末デバイスから送信された第一メッセージに対する第一端末デバイスのフィードバック情報を載せるために用いられる。
【０００６】
第二態様において、フィードバック情報を送信する方法を提供し、第二端末デバイスはデバイス間Ｄ２Ｄ方式で第一端末デバイスに第一メッセージを送信することと、第二端末デバイスは第一端末デバイスに第一指示情報を送信することと、を含み、第一指示情報はフィードバックリソースを指示するために用いられ、フィードバックリソースは、第一端末デバイスがＤ２Ｄ方式で第一メッセージに対するフィードバック情報を第二端末デバイスに送信するときに使用されるリソースである。
【０００７】
第三態様において、フィードバック情報を送信する方法を提供し、ネットワークデバイスは第一端末デバイスに第一指示情報を送信することと、又はネットワークデバイスは第二端末デバイスに第二指示情報を送信することと、を含み、第二指示情報は、第二端末デバイスによって第一指示情報を生成し且つ第一指示情報を第一端末デバイスに送信するために用いられ、第一指示情報はフィードバックリソースを指示するために用いられ、フィードバックリソースは、第一端末デバイスがデバイス間Ｄ２Ｄ方式で第二端末デバイスに送信する、第二端末デバイスから送信された第一メッセージに対するフィードバック情報を載せるために用いられる。
【０００８】
第四態様において、データを再送信する方法を提供し、第二端末デバイスはデバイス間Ｄ２Ｄ方式で第一端末デバイスに第一データを送信することと、第二端末デバイスは再送信リソースを取得することと、第二端末デバイスは、第一データに対する第一端末デバイスのフィードバック情報に基づいて、再送信リソース上でＤ２Ｄ方式で第一端末デバイスに第一データを再送信することと、を含む。
【０００９】
第五態様において、データを再送信する方法を提供し、第一端末デバイスはデバイス間Ｄ２Ｄ方式で第二端末デバイスから送信する第一データを受信することと、第一端末デバイスはＤ２Ｄ方式で第二端末デバイスに第一データに対するフィードバック情報を送信することと、第一端末デバイスはＤ２Ｄ方式で第二端末デバイスから再送信する第一データを受信することと、を含む。
【００１０】
第六態様において、データを再送信する方法を提供し、ネットワークデバイスは第二端末デバイスに指示情報を送信することを含み、指示情報は再送信リソースを指示するために用いられ、再送信リソースは第一データを載せるために用いられ、第二端末デバイスから送信する第一データに対する第一端末デバイスのフィードバック情報に基づいて、第二端末デバイスはデバイス間Ｄ２Ｄ方式で第一端末デバイスに第一データを再送信する。
【００１１】
第七態様において、端末デバイスを提供し、第一態様、第二態様、第四態様、第五態様又は他の各実施形態の方法を実行するために用いられる。
【００１２】
具体的には、端末デバイスは、第一態様、第二態様、第四態様、第五態様又は他の各実施形態の方法の機能モジュールを実行するために用いられる。
【００１３】
第八態様において、ネットワークデバイスを提供し、第三態様、第六態様又は他の各実施形態の方法を実行するために用いられる。
【００１４】
具体的には、ネットワークデバイスは、第三態様、第六態様又は他の各実施形態の方法の機能モジュールを実行するために用いられる。
【００１５】
第九態様において、通信デバイスを提供し、第一態様〜第六態様の方法を実行するために用いられる。
【００１６】
具体的には、通信デバイスは、第一態様〜第六態様の方法の機能モジュールを実行するために用いられる。
【００１７】
第十態様において、通信デバイスを提供し、プロセッサ及びメモリを含む。メモリは、コンピュータプログラムを格納するために用いられ、プロセッサはメモリに格納されたコンピュータプログラムを呼び出して実行し、上述した第一態様〜第六態様の方法を実行するために用いられる。
【００１８】
第十一態様において、チップを提供し、第一態様〜第六態様の方法を実行するために用いられる。
【００１９】
具体的には、チップはプロセッサを含み、プロセッサは、メモリからコンピュータプログラムを呼び出して実行することにより、チップがインストールされたデバイスに第一態様〜第六態様の方法を実行させるために用いられる。
【００２０】
第十二態様において、コンピュータプログラムを格納するために用いられるコンピュータ可読記憶媒体を提供し、コンピュータプログラムはコンピュータに第一態様〜第六態様の方法を実行させる。
【００２１】
第十三態様において、コンピュータプログラム命令を含むコンピュータプログラム製品を提供し、コンピュータプログラム命令はコンピュータに第一態様〜第六態様の方法を実行させる。
【００２２】
第十四態様において、コンピュータプログラムを提供し、コンピュータがコンピュータプログラムを実行すると、コンピュータに第一態様〜第六態様の方法を実行させる。
【００２３】
上述した技術的解決策によって、第一端末デバイスと第二端末デバイスがＤ２Ｄ方式で通信するとき、第一端末デバイスは、第二端末デバイスから送信された第一メッセージに基づいて、第二端末デバイスにフィードバックすることができる。これは、第二端末デバイスがフィードバックに基づいて合理的な通信決定を行うことに有益であり、通信の信頼性を向上させることに有益である。    
【図面の簡単な説明】
【００２４】
【図１】図１は、本発明の実施形態に係わるカーネットワーキング通信モードの概略図である。
【図２】図２は、本発明の別の実施形態に係わるカーネットワーキング通信モードの概略図である。
【図３】図３は、本発明の実施形態に係わるフィードバック情報を送信する方法のフローチャートである。
【図４】図４は、本発明の別の実施形態に係わるフィードバック情報を送信する方法のフローチャートである。
【図５】図５は、本発明の別の実施形態に係わるフィードバック情報を送信する方法のフローチャートである。
【図６】図６は、本発明の実施形態に係わるデータを再送信する方法のフローチャートである。
【図７】図７は、本発明の別の実施形態に係わるデータを再送信する方法のフローチャートである。
【図８】図８は、本発明の別の実施形態に係わるデータを再送信する方法のフローチャートである。
【図９】図９は、本発明の実施形態に係わる第一端末デバイスのブロック図である。
【図１０】図１０は、本発明の実施形態に係わる第二端末デバイスのブロック図である。
【図１１】図１１は、本発明の実施形態に係わるネットワークデバイスのブロック図である。
【図１２】図１２は、本発明の別の実施形態に係わる第二端末デバイスのブロック図である。
【図１３】図１３は、本発明の別の実施形態に係わる第一端末デバイスのブロック図である。
【図１４】図１４は、本発明の別の実施形態に係わるネットワークデバイスのブロック図である。
【図１５】図１５は、本発明の実施形態に係わる通信デバイスのブロック図である。
【図１６】図１６は、本発明の実施形態に係わるチップのブロック図である。
【図１７】図１７は、本発明の実施形態に係わる通信システムのブロック図である。
【発明を実施するための形態】
【００２５】
以下、図面を参照しながら本出願の実施形態の技術方案を詳細に説明する。
【００２６】
本出願の実施形態は、任意の端末デバイス間通信フレームワークに適用することができる。
【００２７】
例えば、車両から車両（Ｖｅｈｉｃｌｅ  ｔｏ  Ｖｅｈｉｃｌｅ，Ｖ２Ｖ）、車両から他の機器（Ｖｅｈｉｃｌｅ  ｔｏ  Ｅｖｅｒｙｔｈｉｎｇ，Ｖ２Ｘ）、デバイスからデバイス（Ｄｅｖｉｃｅ  ｔｏ  Ｄｅｖｉｃｅ、Ｄ２Ｄ）などである。
【００２８】
本出願の実施形態に係わる端末は、物理層及び媒体アクセス制御層が設置されている任意のデバイス又は装置であることができ、端末デバイスはアクセス端末と呼ばれることもできる。例えば、ユーザー機器（Ｕｓｅｒ  Ｅｑｕｉｐｍｅｎｔ，ＵＥ）、ユーザーユニット、ユーザーステーション、モバイルステーション、移動局、リモートステーション、リモート端末、モバイルデバイス、ユーザー端末、端末、無線通信機器、ユーザーエージェント、又はユーザーデバイスである。アクセス端末は、携帯電話、コードレス電話、セッション開始プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）ステーション、携帯情報端末（Ｐｅｒｓｏｎａｌ  Ｄｉｇｉｔａｌ  Ａｓｓｉｓｔａｎｔ，ＰＤＡ）、無線通信機能を備えたハンドヘルドデバイス、コンピューティングデバイス、又はワイヤレスモデムに接続されている他の処理デバイス、車載デバイス、ウェアラブルデバイスなどであることができる。本出願の実施形態は、車載デバイスを例として説明するが、これに限定されない。
【００２９】
選択的には、本出願のいくつかの実施形態において、本出願の実施形態は、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰ）Ｒｅｌ-１４で定義された送信モード３及び送信モード４に適用可能である。
【００３０】
図１は、本出願の実施形態のモード３の概略図である。図２は、本出願の実施形態のモード４の概略図である。
【００３１】
図１に示された送信モード３において、車載端末（車載端末１２１及び車載端末１２２）の送信リソースは基地局１１０によって割り当てられる。車載端末は、基地局１１０によって割り当てられたリソースを使用して側方リンク（ＳＬ）上でデータを送信する。具体的には、基地局１１０は、端末に単一送信に使用されるリソースを割り当てるか、又は端末に半静的送信に使用されるリソースを割り当てることができる。
【００３２】
図２に示された送信モード４において、車両端末（車両端末１３１及び車両端末１３２）は、センシング（ｓｅｎｓｉｎｇ）及び予約（ｒｅｓｅｒｖａｔｉｏｎ）送信モードを採用し、車両端末は、サイドリンクのリソースで送信リソースを自己的に選択してデータを送信する。
【００３３】
以下、車載端末１３１を例として、具体的に説明する。
【００３４】
車載端末１３１はセンシング方式によってリソースプールから利用可能な送信リソースセットを取得し、車載端末１３１はこの送信リソースセットから１つのリソースをランダムに選択してデータ送信を行う。
【００３５】
カーネットワーキングシステムのサービスは周期的な特性を有するので、本出願の実施形態において、車載端末１３１は半静的伝送モードを採用することができる。即ち、車載端末１３１は送信リソースを取得した後、複数の送信サイクルで選択した送信リソースを持続的に使用することにより、リソースの再選択及びリソース衝突の確率を低減する。
【００３６】
さらに、車載端末１３１は、今回送信される制御情報に次の送信のために予約されたリソースを示す情報をキャリーすることができるので、他の端末（例えば、車載端末１３２）は、このユーザの制御情報を検出することにより、このリソースが予約されたか使用されたかを判断することができ、リソース衝突を減らす目的に達する。
【００３７】
本出願の実施形態において、第一端末デバイス第二端末デバイスにデータを直接送信することができ、ネットワークデバイスを介してルーティングすることを必要としない。しかし、Ｄ２Ｄシーンでは、データ伝送の信頼性をどのように確保するかは解決しようとする問題になっている。
【００３８】
図３は、本発明の実施形態に係わるフィードバック情報を送信する方法のフローチャートであり、データ伝送の信頼性を向上させることができる。図３の方法は、端末によって実行することができる。図３に示された第一端末デバイスは、図１に示された車載端末１２１であることができ、図３に示された第二端末デバイスは、図１に示された車載端末１２２であることができる。同様に、図３に示された第一端末デバイスは、図２に示された車載端末１３１であることができ、図３に示された第二端末デバイスは、図２に示された車載端末１３２であることができる。図３の方法は、以下の一部又は全ての内容を含む。
【００３９】
Ｓ３１０、第一端末デバイスはフィードバックリソースを取得し、フィードバックリソースは第二端末デバイスに対するフィードバック情報を載せる（ｃａｒｒｙｉｎｇ）ために用いられる。
【００４０】
フィードバック情報は、第二端末デバイスから送信された第一メッセージに対する第一端末デバイスのフィードバックであることができる。
【００４１】
第一メッセージは、第二端末デバイスから第一端末デバイスに送信したデータ情報であることができ、第二端末デバイスから第一端末デバイスに送信した基準信号又は制御情報などであることもできる。基準信号は、例えば、チャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ，ＣＳＩ-ＲＳ）であることができる。
【００４２】
フィードバック情報が第二端末デバイスから送信されたデータに対するフィードバックである場合、データは、初期送信データ又は再送信データであることができる。
【００４３】
Ｓ３２０、第一端末デバイスは、フィードバックリソース上で第二端末デバイスにフィードバック情報を送信する。
【００４４】
「第一端末デバイスは第二端末デバイスにフィードバック情報を送信する」とは、第一端末デバイスは第二端末デバイスにフィードバック情報を直接に送信し、ネットワークデバイスを介してルーティングすることを必要としないことを意味する。
【００４５】
「第一端末デバイスは第二端末デバイスにフィードバック情報を直接に送信する」とは、第一端末デバイスはＤ２Ｄ方式で第二端末デバイスにフィードバック情報を送信することを意味する。特定の状況下で、Ｄ２Ｄ方式で通信することは、第一端末デバイスはＶ２Ｖ方式で第二端末デバイスにフィードバック情報を送信すること、又は第一端末デバイスはサイドリンクによって第二端末デバイスにフィードバックを送信することを意味すると理解することもできる。
【００４６】
本出願の実施形態によって提供される技術的解決策において、第一端末デバイスと第二端末デバイスがＤ２Ｄ方式で通信するとき、第一端末デバイスは、第二端末デバイスから送信された第一メッセージに基づいて、第二端末デバイスにフィードバックすることができる。これは、第二端末デバイスがフィードバックに基づいて合理的な通信決定を行うことに有益であり、通信の信頼性を向上させることに有益である。
【００４７】
図４は、本発明の実施形態に係わる別のフィードバック情報を送信する方法のフローチャートである。図４の方法は、以下の一部又は全ての内容を含む。
【００４８】
Ｓ４１０、第二端末デバイスは第一端末デバイスに第一メッセージを送信する。
【００４９】
「第二端末デバイスは第一端末デバイスに第一メッセージを送信する」とは、第二端末デバイスはＤ２Ｄ方式で第一端末デバイスに第一メッセージを送信することを意味する。
【００５０】
特定の状況下で、Ｄ２Ｄ方式で通信することは、Ｖ２Ｖ方式で送信すること、又はサイドリンクによって通信することを意味すると理解できる。
【００５１】
Ｓ４２０、第二端末デバイスは第一端末デバイスに第一指示情報を送信し、第一指示情報はフィードバックリソースを指示するために用いられる。
【００５２】
フィードバックリソースは、第二端末デバイスに対する第一端末デバイスのフィードバック情報を載せるために用いられる。
【００５３】
選択的に、フィードバックリソースは、第一端末デバイスがＤ２Ｄ方式で第一メッセージに対するフィードバック情報を第二端末デバイスに送信するときに使用されるリソースである。
【００５４】
図５は、本発明の実施形態に係わる別のフィードバック情報を送信する方法のフローチャートである。図５の方法は、以下の一部又は全ての内容を含む。
【００５５】
Ｓ５１０、ネットワークデバイスは第一端末デバイスに第一指示情報を送信し、第一指示情報はフィードバックリソースを指示するために用いられ、フィードバックリソースは、第一端末デバイスがＤ２Ｄ方式で第二端末デバイスに送信する、第二端末デバイスに対するフィードバック情報を載せるために用いられる。
【００５６】
フィードバック情報は、第一端末デバイスが第二端末デバイスに送信する、第二端末デバイスから送信された第一メッセージに対するフィードバック情報であることができる。
【００５７】
特定の状況下で、Ｄ２Ｄ方式で通信することは、Ｖ２Ｖ方式で送信すること、又はサイドリンクによって通信することを意味すると理解することもできる。
【００５８】
以下、図３、図４及び図５の具体的な実施形態を詳細に説明する。
【００５９】
フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、チャネル品質情報、パワー制御情報、マルチアンテナ方案フィードバック情報のうちの少なくとも１つであることができる。
【００６０】
ここで、ＡＣＫ/ＮＡＣＫフィードバックは、第二端末デバイスから送信されたデータ情報に対するフィードバックであることができる。第一端末デバイスは、データ受信状況に応じて、第二端末デバイスにフィードバック情報を送信することができる。
【００６１】
チャネル品質情報、パワー制御情報及びマルチアンテナ方案フィードバック情報は、全て第一端末デバイスが第二端末デバイスから送信された第一メッセージの受信状態に応じて第二端末デバイスに送信するフィードバック情報であることができる。
【００６２】
チャネル品質情報は、第一端末デバイスが第一メッセージの受信品質に応じて第二端末デバイスに送信するチャネル品質情報であることができる。
【００６３】
パワー制御情報は、第一端末デバイスが第一メッセージの受信パワー情況に応じて第二端末デバイスにフィードバックするパワー制御情報であることができる。第二端末デバイスは、パワー制御情報に基づいて信号送信電力を調整することができる。
【００６４】
マルチアンテナ方案は、第一端末デバイスが第一メッセージの受信状況に応じて第二端末デバイスに送信するマルチアンテナ方案であることができる。マルチアンテナ方案は、例えば、プリコーディングマトリックスを採用してエンコーディングすることを必要とするか否か、プリコーディング方式、送信ダイバーシティ（Ｔｒａｎｓｍｉｔｔｅｒ  Ｄｉｖｅｒｓｉｔｙ）を採用するか否か及び/又は空間多重化技術を採用するか否かなどを含むことができる。
【００６５】
プリコーディング方式は様々であり、例えば、コードブックに基づくプリコーディング及び非コードブックに基づくプリコーディングである。
【００６６】
送信ダイバーシティ方式は様々であり、例えば、ＳＦＢＣ（ｓｐａｃｅ  ｆｒｅｑｕｅｎｃｙ  ｂｌｏｃｋ  ｃｏｄｅ）、ＦＳＴＤ（ｆｒｅｑｕｅｎｃｙ  ｓｗｉｔｃｈ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）などである。
【００６７】
本出願の実施形態は、第一端末デバイスがフィードバックリソースを取得する方式に対して具体的に限定しない。例えば、第一端末デバイスは、自律的なリソース選択方式によってフィードバックリソースを取得することができる。別の例として、第一端末デバイスは、指示情報によってフィードバックリソースを取得することができる。
【００６８】
「第一端末デバイスが自律的なリソース選択方式によってフィードバックリソースを取得する」とは、第一端末デバイスがリソース競争方式によってフィードバックリソースを取得することを意味する。リソースの競争に成功した後、第一端末デバイスは、競争に成功したフィードバックリソースを使用してフィードバック情報を送信する。
【００６９】
リソース競争方式は様々であり、例えば、リッスンビフォアトーク（ｌｉｓｔｅｎ  ｂｅｆｏｒｅ  ｔａｌｋ，ＬＢＴ）方式を使用して、リソースを競争することができる。第一端末デバイスは、ある送信リソースがアイドル状態にあると検出すると、このリソースを使用してフィードバック情報を送信することができる。第一端末デバイスは、あるリソースが占有されていると検出すると、このリソースを使用してフィードバック情報を送信することができない。別の例として、Ｒｅｌ−１４、Ｒｅｌ−１５のカーネットワーキングモード４のリソース取得方式を採用して、リソースを競争することができる。第一端末デバイスは、ある送信リソースが使用可能であると検出すると、このリソースを使用してフィードバック情報を送信することができる。第一端末デバイスは、あるリソースが占有されていると検出すると、このリソースを使用してフィードバック情報を送信することができない。
【００７０】
「第一端末デバイスがフィードバックリソースを取得する」とは、第一端末デバイスが第一指示情報に基づいてフィードバックリソースを取得することを意味する。
【００７１】
第一指示情報はフィードバックリソースを指示することができ、第一端末デバイスはフィードバックリソース上でフィードバック情報を送信することができる。又は、第一指示情報はフィードバックリソースセットを指示することができ、第一端末デバイスがフィードバックリソースセットから１つのフィードバックリソースを選択してフィードバック情報を送信することができる。
【００７２】
第一指示情報は、フィードバックリソースの時間情報及び/又は周波数情報を指示することができる。
【００７３】
以下、第一端末デバイスが第一指示情報に基づいてフィードバックリソースを取得する方式に対して詳細に説明する。
【００７４】
一例として、第一端末デバイスは第二端末デバイスから送信する第一指示情報を受信することができ、この指示情報は利用可能なフィードバックリソースを指示するために用いられる。第一端末デバイスは、第一指示情報に基づいてフィードバックリソースを確定することができる。
【００７５】
選択的に、第二端末デバイスは、第一端末デバイスに第一指示情報を送信する前に、ネットワークデバイスから送信する第二指示情報を受信することができ、第二指示情報は利用可能なフィードバックリソースを指示するために用いられる。第二端末デバイスは、第二指示情報に基づいて第一指示情報を生成し、且つ第一指示情報を第一端末デバイスに送信することができる。
【００７６】
第一指示情報と第二指示情報は全てフィードバックリソースセットを指示するために用いられることができる。又は、第二指示情報は利用可能なフィードバックリソースセットを指示するために用いられ、第一表示情報は利用可能なフィードバックリソースセットの中の１つのフィードバックリソースを指示するために用いられる。この場合、第二端末デバイスは、第二指示情報が指示するフィードバックリソースセットから１つのフィードバックリソースを選択して第一指示情報を生成することができる。
【００７７】
選択的に、ネットワークデバイスは第二端末デバイスに第三指示情報を送信するとともに第二指示情報を送信することができる。第三指示情報は、第二端末デバイスが第一端末デバイスに第一メッセージを送信するときに使用されるリソースを指示するために用いられる。換言すれと、ネットワークデバイスは制御情報によって第二端末デバイスにフィードバックリソースを指示し、制御情報は第二端末デバイスが第一メッセージを送信するときに使用されるリソースを指示するために用いられる。
【００７８】
別の例として、第一端末デバイスは、第一指示情報を予め構成することができる。
【００７９】
例えば、第一端末デバイスは、フィードバックリソース又はフィードバックリソースセットの周波数リソース位置及び/又は時間リソース位置を予め設定することができる。選択的に、第一端末デバイスは、予め設定されたフィードバックリソース又はフィードバックリソースセットから１つのフィードバックリソースを選択することができる。
【００８０】
選択的に、フィードバックリソースは、第一端末デバイスによって予め設定され、第一端末デバイスは、予め設定されたフィードバックリソース上でフィードバック情報を送信することができる。
【００８１】
別の例として、第一端末デバイスは、ネットワークデバイスから送信する第一指示情報を受信することができ、第一端末デバイスは第一指示情報に基づいてフィードバックリソースを取得することができる。
【００８２】
第一指示情報は、ネットワークデバイスから第一端末デバイスに直接送信することができ、第一端末デバイスがネットワークデバイスにリソース請求メッセージを送信した後にネットワークデバイスから第一端末デバイスに送信することもできる。
【００８３】
例えば、第一端末デバイスは、第二端末デバイスから送信したデータを受信した後、ネットワークデバイスにリソース請求メッセージを送信することができる。ネットワークデバイスは、リソース請求メッセージに応答して、第一端末デバイスに第一指示情報を送信する。
【００８４】
選択的に、リソース請求メッセージは、フィードバックリソースを請求するために用いられることができる。ネットワークデバイスは、リソース請求メッセージを受信してから、第一端末デバイスに第一指示情報を送信して利用可能なフィードバックリソースを指示することができる。
【００８５】
選択的に、リソース請求メッセージは、第一端末デバイスが請求するフィードバックリソースの時間情報及び/又は周波数情報を含むことができる。この場合、ネットワークデバイスから送信する第一指示情報は、ＡＣＫメッセージ又はＮＡＣＫメッセージのみであることができる。ＡＣＫメッセージは、第一端末デバイスが請求するリソースはフィードバック情報の送信に使用できることを示し、ＮＡＣＫメッセージは、第一端末デバイスが請求するリソースはフィードバック情報の送信に使用できないことを示す。第一端末デバイスがＮＡＣＫメッセージを受信してから、第一端末デバイスは再びネットワークデバイスにリソース請求メッセージを送信することができるか、又はネットワークデバイスは第一端末デバイスに利用可能なフィードバックリソースを直接に指示することができる。
【００８６】
選択的に、リソース請求メッセージは物理アップリンク制御チャネル（ｐｈｙｓｉｃａｌｕｐｌｉｎｋ  ｃｏｎｔｒｏｌ  ｃｈａｎｎｅｌ，ＰＵＣＣＨ）で載せることができる。例えば、ＰＵＣＣＨのアップリンク制御情報（ｕｐｌｉｎｋ  ｃｏｎｔｒｏｌ  ｉｎｆｏｒｍａｔｉｏｎ，ＵＣＩ）シグナリングで載せることができ、又はメディアアクセス制御（ｍｅｄｉｕｍ  ａｃｃｅｓｓ  ｃｏｎｔｒｏｌ，ＭＡＣ）制御要素（ｃｏｎｔｒｏｌ  ｅｌｅｍｅｎｔ，ＣＥ）で載せることができ、又は無線リソース制御（ｒａｄｉｏ  ｒｅｓｏｕｒｃｅ  ｃｏｎｔｒｏｌ，ＲＲＣ）シグナリングで載せることができる。
【００８７】
第一指示情報及び第二指示情報は、全てフィードバックリソースの時間情報及び/又は周波数情報を指示するために用いられることができる。
【００８８】
第一指示情報がフィードバックリソースの時間情報を指示する場合、フィードバックリソースの周波数情報がデフォルトの周波数であることができる。デフォルトの周波数は、例えば、プロトコルによって規定された周波数、又は第一端末デバイスと第二端末デバイスとの間で合意された周波数、又は第一端末デバイスが第一メッセージを受信する周波数である。第一端末デバイスは、第一指示情報によって指示された時間及びデフォルト周波数でフィードバック情報を送信することができる。
【００８９】
第一指示情報がフィードバックリソースの周波数情報を指示する場合、フィードバックリソースの時間情報はデフォルト時間であることができる。デフォルト時間は、例えば、第一端末デバイスが第二端末デバイスから送信された第一メッセージを受信した後の第Ｋ番目のサブフレームであることができる。第一端末デバイスは、第一指示情報が指示する周波数及びデフォルト時間でフィードバック情報を送信することができる。Ｋは、自然数である。
【００９０】
Ｋの数値は、第一端末デバイスと第二端末デバイスとの間で合意されることができるか、又は第二端末デバイスが第一端末デバイスに指示することもできる。
【００９１】
例えば、第二端末デバイスは、第Ｎ番目のサブフレームで第一メッセージを受信すると、第（Ｎ＋Ｋ）番目のサブフレームで第一メッセージのフィードバック情報を送信することができる。Ｎは、自然数である。例えば、Ｋの値は４である。
【００９２】
選択的に、第一指示情報は、暗黙方式でフィードバックリソースを指示することができる。例えば、第一端末デバイスは第一メッセージが受信された時間情報及び周波数情報に基づいて、フィードバック情報の送信に使用される時間情報及び周波数情報を確定することができる。
【００９３】
例えば、第一端末デバイスは、第一メッセージが受信された周波数を使用して、第（Ｎ＋４）番目のサブフレームでフィードバック情報を送信することができる。
【００９４】
選択的に、第一指示情報は、時間領域リソースの開始位置及び時間リソースの長さを指示することができる。第一端末デバイスは、第一指示情報が指示する時間領域リソース上でフィードバック情報を送信することができる。
【００９５】
又は、第一指示情報は、周波数領域リソースの開始位置及び周波数領域リソースの長さを指示することができる。第一端末デバイスは、第一指示情報が指示する周波数領域リソース上でフィードバック情報を送信することができる。
【００９６】
選択的に、第一指示情報が指示するフィードバックリソースは、第二端末デバイスの時間及び/又は周波数を参考とすることができ、又はネットワークデバイスの時間及び/又は周波数を参考とすることができ、又はグローバルナビゲーション衛星システム（ｇｌｏｂａｌ  ｎａｖｉｇａｔｉｏｎ  ｓａｔｅｌｌｉｔｅ  ｓｙｓｔｅｍ，ＧＮＳＳ）の時間及び/又は周波数を参考とすることができる。
【００９７】
例えば、時間領域リソースの開始位置は第二端末デバイスの時間を時間参考とすることができる。又は、時間領域リソースの開始位置はネットワークデバイスの時間を時間参考とすることができる。又は、時間領域リソースの開始位置はGNSSの時間を時間参考とすることができる。
【００９８】
例えば、周波数領域リソースの開始位置は第二端末デバイスの周波数を参考とすることができる。又は、周波数領域リソースの開始位置はネットワークデバイスの周波数を参考とすることができる。又は、周波数領域リソースの開始位置はＧＮＳＳの周波数を参考とすることができる。
【００９９】
選択的に、第一端末デバイスは、フィードバックリソース上で第二端末デバイスにフィードバック情報を送信する前に、自律的にリソースを選択する方式によってフィードバックリソースを取得することができる。
【０１００】
自律的にリソースを選択する方式は、例えば、リソース競争方式であることができる。第一端末デバイスは、ただリソース競争に成功したにのみ、フィードバックリソースを使用してフィードバック情報を送信することができる。即ち、第一端末デバイスは、第一指示情報に基づいてフィードバックリソースを取得した後、さらにフィードバックリソースを競う必要があり、競争に成功したにのみ、フィードバックリソースを使用してフィードバック情報を送信することができる。
【０１０１】
リソース競争方式は様々であり、例えば、ＬＢＴ方式を採用してリソースを競うことができる。第一端末デバイスは、フィードバックリソースがアイドル状態にあると検出すると、フィードバックリソースを使用してフィードバック情報を送信することができる。第一端末デバイスは、フィードバックリソースが占有されていると検出すると、フィードバックリソースを使用してフィードバック情報を送信することができない。別の例として、Ｒｅｌ−１４、Ｒｅｌ−１５のカーネットワーキングモード４のリソース取得方式を採用して、リソースを競争することができる。第一端末デバイスは、ある送信リソースが使用可能であると検出すると、このリソースを使用してフィードバック情報を送信することができる。第一端末デバイスは、あるリソースが占有されていると検出すると、このリソースを使用してフィードバック情報を送信することができない。
【０１０２】
「第二端末デバイスは第一端末デバイスから送信するフィードバック情報を受信する」とは、第二端末デバイスが複数のフィードバックリソースのそれぞれをリッスンし、第一端末デバイスが第二端末デバイスにフィードバック情報を送信したか否かをリッスンすることを意味する。
【０１０３】
複数のフィードバックリソースは、フィードバック情報を送信するために使用できるフィードバックリソースセットを意味することができる。
【０１０４】
説明しなければならないことは、第一端末デバイスが第二端末デバイスにフィードバック情報を送信することは、第二端末デバイスから送信した第一メッセージを受信してから、このフィードバック情報を送信することができ、又は、第二端末デバイスに定期的にフィードバック情報を送信することができる。
【０１０５】
図６は、本出願の実施形態に係わるデータを再送信する方法のフローチャートである。図６の方法は、端末デバイスによって実行され得る。図６に示される第一端末デバイスは、図１に示された車載端末１２１であることができ、図６に示される第二端末デバイスは、図１に示された車載端末１２２であることができる。同様に、図６に示される第一端末デバイスは、図２に示された車載端末１３１であることができ、図６に示される第二端末デバイスは、図２に示された車載端末１３２であることができる。図６の方法は、以下の一部又は全ての内容を含む。
【０１０６】
Ｓ６１０、第二端末デバイスは、第一端末デバイスに第一データを送信する。
【０１０７】
「第二端末デバイスは、第一端末デバイスに第一データを送信する」とは、第二端末デバイスは第一端末デバイスに第一データを直接送信し、ネットワークデバイスを介してルーティングすることを必要としないことを意味する。
【０１０８】
「第二端末デバイスは第一端末デバイスに第一データを直接送信する」とは、第二端末デバイスはＤ２Ｄ方式で第一端末デバイスに第一データを送信することを意味する。特定の状況下で、Ｄ２Ｄ方式で通信することは、Ｖ２Ｖ方式で送信すること、又はサイドリンクによって通信することを意味すると理解できる。
【０１０９】
前記第一データは、初期送信データ又は再送信データであることができる。
【０１１０】
Ｓ６２０、第二端末デバイスは再送信リソースを取得する。
【０１１１】
再送信リソースは、再送信リソースの時間情報及び/又は周波数情報を含む。
【０１１２】
Ｓ６３０、第二端末デバイスは、第一データに対する第一端末デバイスのフィードバック情報に基づいて、再送信リソース上で第一端末デバイスに第一データを再送信する。
【０１１３】
「第二端末デバイスは第一端末デバイスに第一データを再送信する」とは、第二端末デバイスがＤ２Ｄ方式で第一端末デバイスに第一データを再送信することを意味する。
【０１１４】
特定の状況下で、Ｄ２Ｄ方式で通信することは、Ｖ２Ｖ方式で送信すること、又はサイドリンクによって通信することを意味すると理解できる。
【０１１５】
本出願の実施形態によって提供される技術的解決策において、第一端末デバイスと第二端末デバイスがＤ２Ｄ方式で通信するとき、第二端末デバイスが第一端末デバイスにデータを再送信するとき、再送信回数が固定された再送信方案を使用することを回避し、再送信は第一データに対する第一端末デバイスのフィードバックに基づいて実行される。このような再送信方式は、第二端末デバイスが合理的な再送信を行うことに有益であり、第一端末デバイスが第一データを正確に受信できることを保証し、送信の信頼性を向上させる。
【０１１６】
図７は、本出願の実施形態に係わる別のデータを再送信する方法のフローチャートである。図７の方法は、以下の一部又は全ての内容を含む。
【０１１７】
Ｓ７１０、第一端末デバイスは、Ｄ２Ｄ方式で第二端末デバイスから送信する第一データを受信する。
【０１１８】
Ｓ７２０、第一端末デバイスは、Ｄ２Ｄ方式で第二端末デバイスに第一データ対するフィードバック情報を送信する。
【０１１９】
Ｓ７３０、第一端末デバイスは、Ｄ２Ｄ方式で第二端末デバイスから再送信する第一データを受信する。
【０１２０】
図８は、本発明の実施形態に係わる別のデータを再送信する方法のフローチャートである。図８の方法は、以下の一部又は全ての内容を含む。
【０１２１】
Ｓ８１０、ネットワークデバイスは第二端末デバイスに指示情報を送信し、指示情報は再送信リソースを指示するために用いられ、再送信リソースは第一データを載せるために用いられ、第二端末デバイスから送信する第一データに対する第一端末デバイスのフィードバック情報に基づいて、第二端末デバイスはデバイス間Ｄ２Ｄ方式で第一端末デバイスに第一データを再送信する。
【０１２２】
フィードバック情報は、ＡＣＫ、ＮＡＣＫ、ＤＴＸ（ｄｉｓｃｏｎｔｉｎｕｏｕｓ  ｔｒａｎｓｍｉｓｓｉｏｎ）のうちの少なくとも１つであることができる。
【０１２３】
以下、図６、図７及び図８の具体的な実施形態を詳細に説明する。
【０１２４】
第二端末デバイスは、第一データに対する第一端末デバイスのフィードバック情報に基づいて、第一端末デバイスに第一データを再送信する必要があるか否かを確定することができる。
【０１２５】
第一端末デバイスがＡＣＫ情報をフィードバックする場合、第一端末デバイスが第一データを首尾よく受信したことを意味する。第二端末デバイスは第一端末デバイスに第一データを再送信することを必要としなく、リソースの浪費を減少することができる。
【０１２６】
第一端末デバイスがＮＡＣＫ又はＤＴＸ情報をフィードバックする場合、第一端末デバイスが第一データを受信しなかったことを意味する。第二端末デバイスは第一端末デバイスに第一データを再送信することができ、これは通信の信頼性を向上させることに有益である。
【０１２７】
選択的に、第二端末デバイスが再送信リソース上で第一端末デバイスに第一データを再送信する前に、第二端末デバイスは第一端末デバイスから送信するＮＡＣＫフィードバック情報を受信することができるか、又は第二端末デバイスは予め設定された期間内に第一端末デバイスから送信するフィードバック情報を受信しなかった。
【０１２８】
第二端末デバイスが受信したフィードバック情報がＡＣＫである場合、第一端末デバイスが第一データを首尾よく受信したことを意味する。このとき、第二端末デバイスは第一データを再送信することを必要としなく、第二端末デバイスも再送信リソースを取得することを必要としない。
【０１２９】
第二端末デバイスが受信したフィードバック情報がＮＡＣＫ又はＤＴＸである場合、第一端末デバイスが第一データを受信しなかったことを意味する。このとき、第二端末デバイスは第一端末デバイスに第一データを再送信する必要があり、第一データを再送信する前に、第二端末デバイスは再送信リソースを取得することを必要とする。
【０１３０】
第二端末デバイスが予め設定された期間内に第一端末デバイスから送信するフィードバック情報を受信しなかった場合、第一端末デバイスが第一データを受信しなかったと見なし、第二端末デバイスは再送信リソース上で第一端末デバイスに第一データを再送信することができる。
【０１３１】
第二端末デバイスが再送信リソースを取得する方式は様々である。例えば、ネットワークデバイスが指示する方式で再送信リソースを取得することができる。別の例として、自律的にリソースを選択する方式で再送信リソースを取得することができる。
【０１３２】
「第二端末デバイスはネットワークデバイスが指示する方式で再送信リソースを取得する」とは、第二端末デバイスは、ネットワークデバイスから送信する指示情報を受信し、指示情報に基づいて再送信リソースを取得することを意味する。
【０１３３】
「ネットワークデバイスが再送信リソースを指示する」とは、ネットワークデバイスが再送信リソースを直接に指示することができ、又は第二端末デバイスがネットワークデバイスにリソース請求メッセージを送信した後、ネットワークデバイスは第二端末デバイスに再送信リソースを指示することができる。
【０１３４】
選択的に、第二端末デバイスは受信した第一端末デバイスから送信したフィードバック情報に基づいて、ネットワークデバイスにリソース請求メッセージを送信する必要があるか否かを確定することができる。例えば、第一端末デバイスから送信するフィードバック情報がＡＣＫである場合、第二端末デバイスはネットワークデバイスにリソース請求メッセージを送信して再送信リソースを請求することを必要としない。第一端末デバイスから送信するフィードバック情報がＮＡＣＫである場合、第二端末デバイスはネットワークデバイスにリソース請求メッセージを送信して再送信リソースを請求することができる。第二端末デバイスが第一端末デバイスから送信したフィードバック情報を受信しなかった場合も、第二端末デバイスはネットワークデバイスにリソース請求メッセージを送信して再送信リソースを請求することができる。
【０１３５】
選択的に、リソース請求メッセージは、第一端末デバイスが第二端末デバイスに送信したフィードバック情報を含むことができる。即ち、第二端末デバイスは、第一端末デバイスから送信したフィードバック情報をネットワークデバイスに報告する。ネットワークデバイスは、リソース請求メッセージに応答して、第二端末デバイスに再送信リソースを指示することができる。
【０１３６】
選択的に、リソース請求メッセージは、第二端末デバイスが請求するリソースの時間情報及び/又は周波数情報を含むことができる。この場合、ネットワークデバイスから送信する指示情報は、確認メッセージ又は非確認メッセージのみであることができる。確認メッセージは、第二端末デバイスが請求するリソースは再送信に使用できることを示し、非確認メッセージは、第二端末デバイスが請求するリソースは再送信に使用できないことを示す。第二端末デバイスが非確認メッセージを受信してから、第二端末デバイスは再びネットワークデバイスにリソース請求メッセージを送信することができるか、又はネットワークデバイスは第二端末デバイスに利用可能な再送信リソースを直接に指示することができる。
【０１３７】
選択的に、リソース請求メッセージを送信するために使用されるリソースは、ネットワークデバイスが指示するリソースであることができる。例えば、ネットワークデバイスは、第二端末デバイスに第一データを送信するために使用されるリソースを指示するとともに、第二端末デバイスにリソース請求メッセージを送信するために使用されるリソースを指示する。例えば、ネットワークデバイスは制御情報によって再送信リソースを指示し、制御情報は第二端末デバイスが第一データを送信するために使用されるリソースを指示する。
【０１３８】
選択的に、第二端末デバイスがリソース請求メッセージを送信するために使用されるリソースは、ＰＵＣＣＨ又は物理アップリンク共有チャネル（ｐｈｙｓｉｃａｌ  ｕｐｌｉｎｋ  ｓｈａｒｅｄ  ｃｈａｎｎｅｌ，ＰＵＳＣＨ）である。
【０１３９】
例えば、リソース請求メッセージは、ＰＵＣＣＨのスケジューリング請求（scheduling request，SR）メッセージ、又はＰＵＣＣＨのＡＣＫ/ ＮＡＣＫメッセージ、又はＭＡＣ ＣＥ、ＲＲＣシグナリングで載せることができる。
【０１４０】
選択的に、第二端末デバイスがリソース競争によって再送信リソースを取得する方式は様々である。例えば、ＬＢＴ方式でリソースを競うことができる。第一端末デバイスは、フィードバックリソースがアイドル状態にあると検出すると、フィードバックリソースを使用してフィードバック情報を送信することができる。第一端末デバイスは、フィードバックリソースが占有されていると検出すると、フィードバックリソースを使用してフィードバック情報を送信することができない。別の例として、Ｒｅｌ−１４、Ｒｅｌ−１５のカーネットワーキングモード４のリソース取得方式を採用して、リソースを競うことができる。第一端末デバイスは、ある送信リソースが使用可能であると検出すると、このリソースを使用してフィードバック情報を送信することができる。第一端末デバイスは、あるリソースが占有されていると検出すると、このリソースを使用してフィードバック情報を送信することができない。
【０１４１】
本出願の実施形態において、第二端末デバイスは、ネットワークデバイスが指示する方式で再送信リソースを取得した後、さらにリソース競争方式で再送信リソースを使用できるか否かを確定することができる。リソースの競争が成功すると、再送信リソースをしようして再送信する。リソースの競争が失敗すると、第二端末デバイスは再送信リソースを使用して再送信データを送信することができない。
【０１４２】
本出願の実施形態において、第一端末デバイスが第二端末デバイスにフィードバック情報を送信する場合、第一端末デバイスがフィードバックリソースを取得する方式は、上記の説明を参照することができ、繰り返しを回避するために、ここでは繰り返さない。
【０１４３】
図９は、本出願の実施形態に係わる第一端末デバイスのブロック図である。図９に示されたように、第一端末デバイス９００は、処理ユニット９１０及び通信ユニット９２０を含む。
【０１４４】
処理ユニット９１０は、第一指示情報に基づいてフィードバックリソースを取得するために用いられ、フィードバックリソースは、第二端末デバイスから送信する第一メッセージに対する第一端末デバイスのフィードバック情報を載せるために用いられる。
【０１４５】
通信ユニット９２０は、フィードバックリソース上でデバイス間Ｄ２Ｄ方式で第二端末デバイスにフィードバック情報を送信するために用いられる。
【０１４６】
選択的に、通信ユニット９２０は、さらに、第二端末デバイスから送信する第一指示情報を受信するために用いられる。
【０１４７】
選択的に、処理ユニット９１０は、さらに、第一指示情報を予め設置するために用いられる。
【０１４８】
選択的に、通信ユニット９２０は、さらに、ネットワークデバイスから送信する第一指示情報を受信するために用いられる。
【０１４９】
選択的に、第一指示情報は、フィードバックリソースの時間情報及び/又は周波数情報を指示するために用いられる。
【０１５０】
選択的に、第一指示情報は利用可能なフィードバックリソースセット指示するために用いられ、処理ユニット９１０は、さらにフィードバックリソースセットからフィードバックリソースを選択するために用いられる。
【０１５１】
選択的に、通信ユニット９２０は、さらにネットワークデバイスにリソース請求メッセージを送信するために用いられる。
【０１５２】
選択的に、リソース請求メッセージは、第一端末デバイスが請求するフィードバックリソースの時間情報及び/又は周波数情報を含む。
【０１５３】
選択的に、リソース請求メッセージは、アップリンク制御チャネル（ＰＵＣＣＨ）、メディアアクセス制御制御要素（ＭＡＣ  ＣＥ）、又は無線リソース制御（ＲＲＣ）シグナリングで載せることができる。
【０１５４】
選択的に、処理ユニット９１０は、自律的にリソースを選択する方式によってフィードバックリソースを取得するために用いられる。
【０１５５】
選択的に、フィードバックリソースは、第二端末デバイスの時間及び/又は周波数を同期参考とする。
【０１５６】
選択的に、フィードバックリソースは、ネットワークデバイスの時間及び/又は周波数を同期参考とする。
【０１５７】
選択的に、フィードバックリソースは、ＧＮＳＳの時間及び/又は周波数を同期参考とする。
【０１５８】
選択的に、フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、チャネル品質情報、パワー制御情報及びマルチアンテナ方案のうちの少なくとも1つを含む。
【０１５９】
選択的に、第一メッセージは、第二端末デバイスから第一端末デバイスに送信するデータ情報、制御情報又は参照信号を含む。
【０１６０】
図１０は、本出願の実施形態に係わる第二端末デバイスのブロック図である。図１０に示されたように、第二端末デバイス１０００は、通信ユニット１０１０を含む。
【０１６１】
通信ユニット１０１０は、デバイス間Ｄ２Ｄ方式で第一端末デバイスに第一メッセージを送信するために用いられる。
【０１６２】
通信ユニット１０１０は、さらに第一端末デバイスに第一指示情報を送信するために用いられ、第一指示情報はフィードバックリソースを指示するために用いられる。フィードバックリソースは、第一端末デバイスがＤ２Ｄ方式で第二端末デバイスに第一メッセージのフィードバック情報を送信するために用いられるリソースである。
【０１６３】
選択的に、通信ユニット１０１０は、さらにネットワークデバイスから送信する第二指示情報を受信するために用いられ、第二指示情報はフィードバックリソースを指示するために用いられる。第二端末デバイスは、第二指示情報に基づいて第一指示情報を生成するために用いられる処理ユニットをさらに含む。
【０１６４】
選択的に、第一指示情報は、フィードバックリソースの時間情報及び/又は周波数情報を指示するために用いられる。
【０１６５】
選択的に、フィードバックリソースは、第二端末デバイスの時間及び/又は周波数を同期参考とする。
【０１６６】
選択的に、フィードバックリソースは、ネットワークデバイスの時間及び/又は周波数を同期参考とする。
【０１６７】
選択的に、フィードバックリソースは、グローバルナビゲーション衛星システ（ＧＮＳＳ）の時間及び/又は周波数を同期参考とする。
【０１６８】
選択的に、フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、チャネル品質情報、パワー制御情報及びマルチアンテナ方案のうちの少なくとも１つを含む。
【０１６９】
選択的に、第一メッセージは、第二端末デバイスから第一端末デバイスに送信するデータ情報、制御情報又は参照信号を含む。
【０１７０】
図１１は、本出願の実施形態に係わるネットワークデバイスのブロック図である。図１１に示されたように、ネットワークデバイス１１００は、通信ユニット１１１０を含む。
【０１７１】
通信ユニット１１１０は、第一端末デバイスに第一指示情報を送信するために用いられ、第一指示情報はフィードバックリソースを指示するために用いられる。フィードバックリソースは、第一端末デバイスがデバイス間Ｄ２Ｄ方式で第二端末デバイスに送信する、第二端末デバイスから送信する第一メッセージに対するフィードバック情報を載せるために用いられる。
【０１７２】
選択的に、通信ユニット１１１０は、さらに第一端末デバイスから送信するリソース請求メッセージを受信するために用いられる。
【０１７３】
選択的に、リソース請求メッセージは、第一端末デバイスが請求するフィードバックリソースの時間情報及び/又は周波数情報を含む。
【０１７４】
選択的に、リソース請求メッセージは、ＰＵＣＣＨ、ＭＡＣ  ＣＥ、又はＲＲＣシグナリングで載せる。
【０１７５】
選択的に、フィードバックリソースは、第二端末デバイスの時間及び/又は周波数を同期参考とする。
【０１７６】
選択的に、フィードバックリソースは、ネットワークデバイスの時間及び/又は周波数を同期参考とする。
【０１７７】
選択的に、フィードバックリソースはＧＮＳＳの時間及び/又は周波数を同期参考とする。
【０１７８】
選択的に、フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、チャネル品質情報、パワー制御情報及びマルチアンテナ方案のうちの少なくとも1つを含む。
【０１７９】
選択的に、第一メッセージは、第二端末デバイスから第一端末デバイスに送信するデータ情報、制御情報又は参照信号を含む。
【０１８０】
図１２は、本出願の実施形態に係わる第二端末デバイスのブロック図である。図１２に示されたように、第二端末デバイス１２００は、通信ユニット１２１０及び処理ユニット１２２０を含む。
【０１８１】
通信ユニット１２１０は、デバイス間Ｄ２Ｄ方式で第一端末デバイスに第一データを送信するために用いられる。
【０１８２】
処理ユニット１２２０は、再送信リソースを取得するために用いられる。
【０１８３】
通信ユニット１２１０は、さらに、第一データに対する第一端末デバイスのフィードバック情報に基づいて、再送信リソース上でＤ２Ｄ方式によって第一端末デバイスに第一データを再送信するために用いられる。
【０１８４】
選択的に、処理ユニット１２２０は、具体的にネットワークデバイスから送信する指示情報に基づいて再送信リソースを取得するために用いられる。
【０１８５】
選択的に、通信ユニット１２１０は、さらにネットワークデバイスにリソース請求メッセージを送信するために用いられる。
【０１８６】
選択的に、通信ユニット１２１０は、具体的に、第一データに対する第一端末デバイスのフィードバック情報に基づいて、ネットワークデバイスにリソース請求メッセージを送信するために用いられる。
【０１８７】
選択的に、リソース請求メッセージは、第一データに対する第一端末デバイスのフィードバック情報を含む。
【０１８８】
選択的に、リソース請求メッセージは、第二端末デバイスが請求する再送信リソースの時間情報及び/又は周波数情報を含む。
【０１８９】
選択的に、フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、ＤＴＸ（ｄｉｓｃｏｎｔｉｎｕｏｕｓ  ｔｒａｎｓｍｉｓｓｉｏｎ）のうちの少なくとも１つを含む。
【０１９０】
選択的に、リソース請求メッセージの送信に使用されるリソースは、ネットワークデバイスが指示するリソースである。
【０１９１】
選択的に、ネットワークデバイスが指示するリソースは制御情報によって指示し、制御情報は第二端末デバイスが第一データを送信するために使用されるリソースを指示する。
【０１９２】
選択的に、リソース請求メッセージを送信するために使用されるリソースは、物理アップリンク制御チャネル（ｐｈｙｓｉｃａｌｕｐｌｉｎｋ  ｃｏｎｔｒｏｌ  ｃｈａｎｎｅｌ，ＰＵＣＣＨ）又は物理アップリンク共有チャネル（ｐｈｙｓｉｃａｌ  ｕｐｌｉｎｋ  ｓｈａｒｅｄ  ｃｈａｎｎｅｌ，ＰＵＳＣＨ）である。
【０１９３】
選択的に、リソース請求メッセージは、ＰＵＣＣＨのスケジューリング請求（ｓｃｈｅｄｕｌｉｎｇ  ｒｅｑｕｅｓｔ，ＳＲ）メッセージ、ＰＵＣＣＨのＡＣＫ/ ＮＡＣＫメッセージ、メディアアクセス制御（ｍｅｄｉｕｍ  ａｃｃｅｓｓ  ｃｏｎｔｒｏｌ，ＭＡＣ）制御要素（ｃｏｎｔｒｏｌ  ｅｌｅｍｅｎｔ，ＣＥ）、又は無線リソース制御（ｒａｄｉｏ  ｒｅｓｏｕｒｃｅ  ｃｏｎｔｒｏｌ，ＲＲＣ）シグナリングで載せる。
【０１９４】
選択的に、リソース請求メッセージは、バッファステータスレポート（ｂｕｆｆｅｒｓｔａｔｕｓ  ｒｅｐｏｒｔ，ＢＳＲ）で載せる。
【０１９５】
選択的に、通信ユニット１２１０は、さらに自律的にリソースを選択する方式によって再送信リソースを取得するために用いられる。
【０１９６】
図１３は、本出願の実施形態に係わる第一端末デバイスのブロック図である。図１３に示されたように、第一端末デバイス１３００は、通信ユニット１３１０を含む。
【０１９７】
通信ユニット１３１０は、デバイス間Ｄ２Ｄ方式で第二端末デバイスから送信する第一データを受信するために用いられる。
【０１９８】
通信ユニット１３１０はさらに、Ｄ２Ｄ方式で第二端末デバイスに第一データに対するフィードバック情報を送信するために用いられる。
【０１９９】
通信ユニット１３１０はさらに、Ｄ２Ｄ方式で第二端末デバイスから送信する第一データの再送信を受信するために用いられる。
【０２００】
選択的に、フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、ＤＴＸ（ｄｉｓｃｏｎｔｉｎｕｏｕｓ  ｔｒａｎｓｍｉｓｓｉｏｎ）のうちの少なくとも１つを含む。
【０２０１】
図１４は、本出願の実施形態に係わるネットワークデバイスのブロック図である。図１４に示されたように、ネットワークデバイス１４００は通信ユニット１４１０を含む。
【０２０２】
通信ユニット１４１０は、第二端末デバイスに指示情報を送信するために用いられ、指示情報は再送信リソースを指示するために用いられる。再送信リソースは第一データを載せるために用いられ、第二端末デバイスから送信する第一データに対する第一端末デバイスのフィードバック情報に基づいて、第二端末デバイスはデバイス間Ｄ２Ｄ方式で第一端末デバイスに第一データを再送信する。
【０２０３】
選択的に、通信ユニット１４１０は、さらに、第二端末デバイスから送信するリソース請求メッセージを受信するために用いられる。
【０２０４】
選択的に、リソース請求メッセージは、第一データに対する第一端末デバイスのフィードバック情報を含む。
【０２０５】
選択的に、リソース請求メッセージは、第二端末デバイスが請求する再送信リソースの時間情報及び/又は周波数情報を含む。
【０２０６】
選択的に、フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、ＤＴＸ（ｄｉｓｃｏｎｔｉｎｕｏｕｓ  ｔｒａｎｓｍｉｓｓｉｏｎ）のうちの少なくとも１つを含む。
【０２０７】
選択的に、通信ユニット１４１０は、さらに第二端末デバイスにリソース請求メッセージの送信に使用されるリソースを指示する指示情報を送信するために用いられる。
【０２０８】
選択的に、ネットワークデバイスは制御情報によってリソース請求メッセージを送信するために使用されるリソースを指示し、制御情報は第二端末デバイスが第一データを送信するために使用されるリソースを指示する。
【０２０９】
選択的に、リソース請求メッセージを送信するために使用されるリソースは、物理アップリンク制御チャネル（ＰＵＣＣＨ）又は物理アップリンク共有チャネル（ｐｈｙｓｉｃａｌ  ｕｐｌｉｎｋ  ｓｈａｒｅｄ  ｃｈａｎｎｅｌ，ＰＵＳＣＨ）である。
【０２１０】
選択的に、リソース請求メッセージは、ＰＵＣＣＨのスケジューリング請求（ｓｃｈｅｄｕｌｉｎｇ  ｒｅｑｕｅｓｔ，ＳＲ）メッセージ、ＰＵＣＣＨのＡＣＫ/ ＮＡＣＫメッセージ、メディアアクセス制御制御要素（ＭＡＣ ＣＥ）、又は無線リソース制御（ＲＲＣ）シグナリングで載せる。
【０２１１】
選択的に、リソース請求メッセージはバッファステータスレポート（ｂｕｆｆｅｒｓｔａｔｕｓ  ｒｅｐｏｒｔ，ＢＳＲ）で載せる。
【０２１２】
図１５は、本出願の実施形態に係わる通信デバイス１５００のブロック図である。図１５に示された通信デバイス１５００はプロセッサ１５１０を含み、プロセッサ１５１０はメモリからコンピュータプログラムを呼び出して実行して、本出願の実施形態に係わる方法を実現することができる。
【０２１３】
選択的に、図１５に示されたように、通信デバイス１５００はメモリ１５２０をさらに含むことができる。プロセッサ１５１０はメモリ１５２０からコンピュータプログラムを呼び出して実行することにより、本出願の実施形態に係わる方法を実現することができる。
【０２１４】
メモリ１５２０は、プロセッサ１５１０から独立した別個のデバイスであることができるか、又はプロセッサ１５１０に統合されてもよい。
【０２１５】
選択的に、図１５に示されるように、通信デバイス１５００は、トランシーバ１５３０をさらに含むことができる。プロセッサ１５１０は、トランシーバ１５３０が他のデバイスと通信するように制御することができ、具体的には、他のデバイスに情報又はデータを送信するか、又は他のバイスから送信される情報又はデータを受信する。
【０２１６】
トランシーバ１５３０は、送信機及び受信機を含むことができる。トランシーバ１５３０は、アンテナをさらに含むことができる。アンテナの数量は、１つ又は複数であることができる。
【０２１７】
選択的に、通信デバイス１５００は、具体的には、本出願の実施形態に係わる端末デバイスであることができ、通信デバイス１５００は、本出願の方法実施例における端末デバイスによって実施される対応するプロセスを実施することができ、簡潔のために、ここでは繰り返さない。
【０２１８】
選択的に、通信デバイス１５００は、具体的には、本出願の実施形態に係わるネットワークデバイスであることができ、通信デバイス１５００は、本出願の方法実施例におけるネットワークデバイスによって実施される対応するプロセスを実施することができ、簡潔のために、ここでは繰り返さない。
【０２１９】
図１６は、本出願の実施形態に係わるチップの構造を示すブロック図である。図１６に示されたチップ１６００はプロセッサ１６１０を含み、プロセッサ１６１０はメモリからコンピュータプログラムを呼び出して実行して、本出願の実施形態の方法を実現することができる。
【０２２０】
選択的に、図１６に示されたように、チップ１６００はメモリ１６２０をさらに含むことができる。プロセッサ１６１０は、メモリ１６２０からコンピュータプログラムを呼び出して実行することにより、本出願の実施形態の方法を実施することができる。
【０２２１】
メモリ１６２０は、プロセッサ１６１０から独立した別個のデバイスであることができるか、又はプロセッサ１６１０に統合されてもよい。
【０２２２】
選択的に、チップ１６００は、入力インターフェース１６３０をさらに含むことができる。プロセッサ１６１０は、入力インターフェース１６３０と他のデバイス又はチップが通信するように制御することができ、具体的には、他のデバイス又はチップから送信する情報又はデータを取得することができる。
【０２２３】
選択的に、チップ１６００は、出力インターフェース１６４０をさらに含むことができる。プロセッサ１６１０は、出力インターフェース１６４０と他のデバイス又はチップが通信するように制御することができ、具体的には、他のデバイス又はチップに情報又はデータを出力することができる。
【０２２４】
選択的に、チップは、本出願の実施形態に係わる端末デバイスに適用されることができ、チップは、本出願の実施形態の各方法における端末デバイスによって実施される対応するプロセスを実施することができ、簡潔のために、ここでは繰り返さない。
【０２２５】
選択的に、チップは、本出願の実施形態に係わるネットワークデバイスに適用されることができ、チップは、出願の実施形態の各方法におけるネットワークデバイスによって実施される対応するプロセスを実施することができ、簡潔のために、ここでは繰り返さない。
【０２２６】
本出願の実施形態で言及されるチップは、システムレベルチップ、システムチップ、チップシステム、又はシステムオンチップと呼ばれることもあることを理解されたい。
【０２２７】
本出願の実施形態のプロセッサは、信号処理能力を有する集積回路チップであることができる。実施過程において、上述した方法実施例の各ステップは、プロセッサのハードウェア形態の集積論理回路（ｉｎｔｅｇｒａｔｅｄ ｌｏｇｉｃ ｃｉｒｃｕｉｔ）又はソフトウェア形態の命令によって完成することができる。プロセッサは、汎用プロセッサ、デジタル信号プロセッサ（Ｄｉｇｉｔａｌ Ｓｉｇｎａｌ Ｐｒｏｃｅｓｓｏｒ，ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブルロジックデバイス、ディスクリートゲート又はトランジスタロジックデバイス、ディスクリートハードウェアコンポーネントであることができる。プロセッサは、本発明の実施例で開示された方法、ステップ及び論理ブロック図を実現又は実行することができる。汎用プロセッサは、マイクロプロセッサ又は任意の従来のプロセッサなどであることができる。本発明の実施例で開示された方法のステップは、直接にハードウェア復号化プロセッサによって実行及び完成することができるか、又は復号化プロセッサ内のハードウェア及びソフトウェアモジュールの組合せによって実行及び完成することができる。ソフトウェアモジュールは、ランダムアクセスメモリ、フラッシュメモリ、読み取り専用メモリ、プログラム可能な読み取り専用メモリ、又は電気的に消去可能なプログラム可能なメモリ、レジスタなど本技術分野の成熟した記憶媒体内にあることができる。記憶媒体は、メモリ内にある。プロセッサは、メモリ内の情報を読み取り、プロセッサのハードウェアを使用して上述した方法のステップを完成する。
【０２２８】
本出願の実施形態のメモリは、揮発性メモリ又は不揮発性メモリであることができるか、又は揮発性メモリ及び不揮発性メモリの両方を含むことができる。不揮発性メモリは、読み取り専用メモリ（Ｒｅａｄ-Ｏｎｌｙ Ｍｅｍｏｒｙ，ＲＯＭ）、プログラム可能な読み取り専用メモリ（Ｐｒｏｇｒａｍｍａｂｌｅ Ｒｅａｄ-Ｏｎｌｙ Ｍｅｍｏｒｙ, ＰＲＯＭ）、消去可能なプログラム可能な読み取り専用メモリ（Ｅｒａｓａｂｌｅ Ｐｒｏｇｒａｍｍａｂｌｅ Ｒｅａｄ-Ｏｎｌｙ Ｍｅｍｏｒｙ, ＥＰＲＯＭ）、電気的に消去可能なプログラム可能な読み取り専用メモリ（Ｅｌｅｃｔｒｉｃａｌｌｙ Ｅｒａｓａｂｌｅ Ｐｒｏｇｒａｍｍａｂｌｅ Ｒｅａｄ-Ｏｎｌｙ Ｍｅｍｏｒｙ, ＥＥＰＲＯＭ）、フラッシュメモリ（Ｆｌａｓｈ Ｍｅｍｏｒｙ）であることができる。揮発性メモリは、外部高速キャッシュとして機能するランダムアクセスメモリ（Ｒａｎｄｏｍ Ａｃｃｅｓｓ Ｍｅｍｏｒｙ，ＲＡＭ）であることができる。例示的であるが限定的ではない例として、多い形式のＲＡＭが利用可能であり、例えば、スタティックランダムアクセスメモリ（Ｓｔａｔｉｃ Ｒａｎｄｏｍ Ａｃｃｅｓｓ Ｍｅｍｏｒｙ，ＳＲＡＭ）、ダイナミックランダムアクセスメモリ（Ｄｙｎａｍｉｃ Ｒａｎｄｏｍ Ａｃｃｅｓｓ Ｍｅｍｏｒｙ，ＤＲＡＭ）、同期ダイナミックランダムアクセスメモリ（Ｓｙｎｃｈｒｏｎｏｕｓ Ｄｙｎａｍｉｃ Ｒａｎｄｏｍ Ａｃｃｅｓｓ Ｍｅｍｏｒｙ，ＳＤＲＡＭ）、ダブルデータレート同期ダイナミックランダムアクセスメモリ（Ｄｏｕｂｌｅ Ｄａｔａ Ｒａｔｅ Ｓｙｎｃｈｒｏｎｏｕｓ Ｄｙｎａｍｉｃ Ｒａｎｄｏｍ Ａｃｃｅｓｓ Ｍｅｍｏｒｙ，ＤＤＲＳＤＲＡＭ）、拡張同期ダイナミックランダムアクセスメモリ（Ｅｎｈａｎｃｅｄ Ｓｙｎｃｈｒｏｎｏｕｓ Ｄｙｎａｍｉｃ Ｒａｎｄｏｍ Ａｃｃｅｓｓ Ｍｅｍｏｒｙ，ＥＳＤＲＡＭ）、同期接続ダイナミックランダムアクセスメモリ（Ｓｙｎｃｈ-ｌｉｎｋ Ｄｙｎａｍｉｃ Ｒａｎｄｏｍ Ａｃｃｅｓｓ Ｍｅｍｏｒｙ，ＳＬＤＲＡＭ）、ダイレクトランバスランダムアクセスメモリ（Ｄｉｒｅｃｔ Ｒａｍｂｕｓ Ｒａｎｄｏｍ Ａｃｃｅｓｓ Ｍｅｍｏｒｙ，ＤＲＲＡＭ）である。本明細書に記載されたシステム及び方法のメモリは、これら及び他の任意の適切なタイプのメモリを含
むことができるが、これらに限定されない。
【０２２９】
上述したメモリは例示的なものであるが限定的ではないことを理解されたい。例えば、本出願の実施形態のメモリは、スタティックランダムアクセスメモリ（Ｓｔａｔｉｃ Ｒａｎｄｏｍ Ａｃｃｅｓｓ Ｍｅｍｏｒｙ，ＳＲＡＭ）、ダイナミックランダムアクセスメモリ（Ｄｙｎａｍｉｃ Ｒａｎｄｏｍ Ａｃｃｅｓｓ Ｍｅｍｏｒｙ，ＤＲＡＭ）、同期ダイナミックランダムアクセスメモリ（Ｓｙｎｃｈｒｏｎｏｕｓ Ｄｙｎａｍｉｃ Ｒａｎｄｏｍ Ａｃｃｅｓｓ Ｍｅｍｏｒｙ，ＳＤＲＡＭ）、ダブルデータレート同期ダイナミックランダムアクセスメモリ（Ｄｏｕｂｌｅ Ｄａｔａ Ｒａｔｅ Ｓｙｎｃｈｒｏｎｏｕｓ Ｄｙｎａｍｉｃ Ｒａｎｄｏｍ Ａｃｃｅｓｓ Ｍｅｍｏｒｙ，ＤＤＲＳＤＲＡＭ）、拡張同期ダイナミックランダムアクセスメモリ（Ｅｎｈａｎｃｅｄ Ｓｙｎｃｈｒｏｎｏｕｓ Ｄｙｎａｍｉｃ Ｒａｎｄｏｍ Ａｃｃｅｓｓ Ｍｅｍｏｒｙ，ＥＳＤＲＡＭ）、同期接続ダイナミックランダムアクセスメモリ（Ｓｙｎｃｈ-ｌｉｎｋ Ｄｙｎａｍｉｃ Ｒａｎｄｏｍ Ａｃｃｅｓｓ Ｍｅｍｏｒｙ，ＳＬＤＲＡＭ）及びダイレクトランバスランダムアクセスメモリ（Ｄｉｒｅｃｔ Ｒａｍｂｕｓ Ｒａｎｄｏｍ Ａｃｃｅｓｓ Ｍｅｍｏｒｙ，ＤＲＲＡＭ）などであることができる。即ち、本出願の実施形態のメモリは、これら及び他の任意の適切なタイプのメモリを含むことができるが、これらに限定されない。
【０２３０】
図１７は、本出願の実施形態に係わる通信システム１７００のブロック図である。図１７に示されたように、通信システム１７００は、端末デバイス１７１０及びネットワークデバイス１７２０を含む。
【０２３１】
ここで、端末デバイス１７１０は、上述した方法における端末デバイスによって実現される対応する機能を実現するために用いられることができ、簡潔のために、ここでは繰り返さない。
【０２３２】
ここで、ネットワークデバイス１７２０は、上述した方法におけるネットワークデバイスによって実現される対応する機能を実現するために用いられることができ、簡潔のために、ここでは繰り返さない。
【０２３３】
本出願の実施形態は、さらにコンピュータプログラムを格納するために用いられるコンピュータ可読記憶媒体を提供する。選択的に、コンピュータ可読記憶媒体は、本出願の実施形態のネットワークデバイスに適用されることができ、コンピュータプログラムは、コンピュータに本出願の実施形態の各方法におけるネットワークデバイスによって実施される対応するプロセスを実行させ、簡潔のために、ここでは繰り返さない。選択的に、コンピュータ可読記憶媒体は、本出願の実施形態の端末デバイスに適用されることができ、コンピュータプログラムは、コンピュータに本出願の実施形態の各方法における端末デバイスによって実施される対応するプロセスを実行させ、簡潔のために、ここでは繰り返さない。
【０２３４】
本出願の実施形態は、さらにコンピュータプログラム命令を含むコンピュータプログラム製品を提供する。選択的に、コンピュータプログラム製品は、本出願の実施形態のネットワークデバイスに適用されることができ、コンピュータプログラム命令は、コンピュータに本出願の実施形態の各方法におけるネットワークデバイスによって実施される対応するプロセスを実行させ、簡潔のために、ここでは繰り返さない。選択的に、コンピュータプログラム製品は、本出願の実施形態の端末デバイスに適用されることができ、コンピュータプログラム命令は、コンピュータに本出願の実施形態の各方法における端末デバイスによって実施される対応するプロセスを実行させ、簡潔のために、ここでは繰り返さない。
【０２３５】
本出願の実施形態は、さらにコンピュータプログラムを提供する。選択的に、コンピュータプログラムは、本出願の実施形態のネットワークデバイスに適用されることができる。コンピュータでコンピュータプログラムを実行するとき、コンピュータに本実施形態の各方法におけるネットワークデバイスによって実施される対応するプロセスを実行させ、簡潔のために、ここでは繰り返さない。選択的に、コンピュータプログラムは、本出願の実施形態の端末デバイスに適用されることができる。コンピュータでコンピュータプログラムを実行するとき、コンピュータに本実施形態の各方法における端末デバイスによって実施される対応するプロセスを実行させ、簡潔のために、ここでは繰り返さない。
【０２３６】
本明細書の「システム」及び「ネットワーク」という用語は、本明細書では互いに替えて使用することができる。本明細書の「及び/又は」という用語は、ただ関連対象の関連関係を説明し、３つの関係が存在することができ、例えば、「Ａ及び/又はＢ」は、「Ａのみが存在する」、「ＡとＢが同時に存在する」、「Ｂのみが存在する」との３つの状況を示すことができる。なお、本明細書の符号「/」は、通常、前後の関連対象が「又は」の関係を有することを示す。
【０２３７】
さらに、本発明の実施形態において、「Ａに対応するＢ」とは、ＢがＡに関連することを意味し、Ａに基づいてＢを確定できることを理解されたい。しかしながら、Ａに基づいてＢを確定することは、ＢがＡのみに基づいて確定されることを意味するものではなく、Ａ及び/又は他の情報に基づいてＢを確定できることを理解されたい。
【０２３８】
本明細書に開示された実施形態と組み合わせて記載される各例示のユニット及びアルゴリズムステップは、電子ハードウェア、又はコンピュータープログラムと電子ハードウェアとの組み合わせにより実現され得ることは、当業者とって明らかである。これらの機能は、ハードウェアにより実行されるか又はソフトウェアにより実行されるかについて、技術方案の特定の応用場合や設計の制限条件などによって決められる。専門技術人員は、特定応用ごとに異なる方法を使用して記載される機能を実現できるが、これらの実現は、本発明の範囲を超えると見なされるべきではない。
【０２３９】
当業者であれば、便利に簡潔に説明するために、上述したシステム、デバイス及びユニットの具体的な作動過程は、上述した方法の実施形態の対応するプロセスを参照できることを理解することができ、ここでは繰り返さない。
【０２４０】
本願によって提供される幾つかの実施形態において、開示されるシステム、デバイス及び方法は、他の形態により実現され得ると理解されるべきである。例えば、上記に説明されたデバイスの実施例は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよいし、電気、機械や他の形態であってもよい。
【０２４１】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施例の技術方案の目的を実現することができる。
【０２４２】
また、本発明に係る各実施例の各機能ユニットは、１つの処理ユニットに集積されてもよいし、物理的に分離された複数のユニットとして存在してもよいし、２つ以上のユニットは１つのユニットに集積してもよい。
【０２４３】
前記機能は、ソフトウェアの機能ユニットとして実現され、かつ、独立の製品として販売されたり使用されたりする場合、コンピュータ読み取り可能な記録媒体に記憶されてもよい。この理解によれば、本発明の技術方案について、本質的な部分、又は従来技術に貢献できた部分、又は該技術方案の一部は、ソフトウェア製品として表現され得る。このコンピュータソフトウェア製品は、記憶媒体に記憶されており、１つのコンピュータ（パソコン、サーバー、又はネットワーク機器などであってもよい）に本発明の各実施例に係る方法の全部又は一部の過程を実行するための複数のコマンドが含まれている。前記した記憶媒体は、フラッシュメモリー、ポータブルハードディスク、読み出し専用メモリ（ＲＯＭ、Ｒｅａｄ−Ｏｎｌｙ Ｍｅｍｏｒｙ）、ランダムアクセスメモリ（ＲＡＭ、Ｒａｎｄｏｍ Ａｃｃｅｓｓ Ｍｅｍｏｒｙ）、磁気ディスク又は光ディスクなどの各種のプログラムコードを記憶可能な媒体を含む。
【０２４４】
上述したのは、ただ本発明の具体的な実施形態であり、本発明の保護範囲はこれに限定されるものではない。当業者であれば、本発明に開示された技術範囲内で変更又は置換を容易に想到しうることであり、全て本出願の範囲内に含まれるべきである。従って本願の保護範囲は特許請求の範囲によって決めるべきである。
【図１】
2022502889.tif 000003
【図２】
2022502889.tif 000004
【図３】
2022502889.tif 000005
【図４】
2022502889.tif 000006
【図５】
2022502889.tif 000007
【図６】
2022502889.tif 000008
【図７】
2022502889.tif 000009
【図８】
2022502889.tif 000010
【図９】
2022502889.tif 000011
【図１０】
2022502889.tif 000012
【図１１】
2022502889.tif 000013
【図１２】
2022502889.tif 000014
【図１３】
2022502889.tif 000015
【図１４】
2022502889.tif 000016
【図１５】
2022502889.tif 000017
【図１６】
2022502889.tif 000018
【図１７】
2022502889.tif 000019
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
データを再送信する方法であって、
第二端末デバイスはデバイス間Ｄ２Ｄ方式で第一端末デバイスに第一データを送信する（Ｓ６１０）ことと、
前記第二端末デバイスは再送信リソースを取得する（Ｓ６２０）ことと、
前記第二端末デバイスは、前記第一データに対する前記第一端末デバイスのフィードバック情報に基づいて、前記再送信リソース上でＤ２Ｄ方式で前記第一端末デバイスに前記第一データを再送信する（Ｓ６３０）ことと、
を含む、
ことを特徴とするデータを再送信する方法。
【請求項２】
前記第二端末デバイスは再送信リソースを取得することは、
前記第二端末デバイスはネットワークデバイスから送信された指示情報に基づいて再送信リソースを取得することを含む、
ことを特徴とする請求項１に記載のデータを再送信する方法。
【請求項３】
前記第二端末デバイスはネットワークデバイスから送信された指示情報に基づいて再送信リソースを取得する前に、前記データを再送信する方法は、
前記第二端末デバイスは前記ネットワークデバイスにリソース請求メッセージを送信することをさらに含む、
ことを特徴とする請求項２に記載のデータを再送信する方法。
【請求項４】
前記第二端末デバイスは前記ネットワークデバイスにリソース請求メッセージを送信することは、
前記第二端末デバイスは、前記第一データに対する前記第一端末デバイスのフィードバック情報に基づいて、前記ネットワークデバイスにリソース請求メッセージを送信することを含む、
ことを特徴とする請求項３に記載のデータを再送信する方法。
【請求項５】
前記リソース請求メッセージは、前記第一データに対する前記第一端末デバイスのフィードバック情報を含む、
ことを特徴とする請求項３又は４に記載のデータを再送信する方法。
【請求項６】
前記リソース請求メッセージは、前記第二端末デバイスが請求する再送信リソースの時間情報及び周波数情報のうちの少なくと１つを含む、
ことを特徴とする請求項３〜５のいずれか一項に記載のデータを再送信する方法。
【請求項７】
前記フィードバック情報は、ＡＣＫ（ａｃｋｎｏｗｌｅｄｇｅｍｅｎｔ）情報、ＮＡＣＫ（ｎｅｇａｔｉｖｅ  ａｃｋｎｏｗｌｅｄｇｍｅｎｔ）情報、ＤＴＸ（ｄｉｓｃｏｎｔｉｎｕｏｕｓ  ｔｒａｎｓｍｉｓｓｉｏｎ）のうちの少なくとも１つを含む、
ことを特徴とする請求項１〜６のいずれか一項に記載のデータを再送信する方法。
【請求項８】
前記リソース請求メッセージの送信に使用されるリソースは、前記ネットワークデバイスが指示するリソースである、
ことを特徴とする請求項３〜７のいずれか一項に記載のデータを再送信する方法。
【請求項９】
前記ネットワークデバイスが指示するリソースは制御情報によって指示し、前記制御情報は前記第二端末デバイスが前記第一データを送信するために使用されるリソースを指示する、
ことを特徴とする請求項８に記載のデータを再送信する方法。
【請求項１０】
前記リソース請求メッセージを送信するために使用されるリソースは、物理アップリンク制御チャネル（ＰＵＣＣＨ）又は物理アップリンク共有チャネル（ＰＵＳＣＨ）である、
ことを特徴とする請求項３〜９のいずれか一項に記載のデータを再送信する方法。
【請求項１１】
前記リソース請求メッセージは、ＰＵＣＣＨのスケジューリング請求（ＳＲ）メッセージ、ＰＵＣＣＨのＡＣＫ/ ＮＡＣＫメッセージ、メディアアクセス制御制御要素（ＭＡＣ  ＣＥ）、又は無線リソース制御（ＲＲＣ）シグナリングで載せる、
ことを特徴とする請求項３〜１０のいずれか一項に記載のデータを再送信する方法。
【請求項１２】
第二端末デバイス１０００であって、
デバイス間Ｄ２Ｄ方式で第一端末デバイスに第一メッセージを送信するために用いられる通信ユニット１０１０を含み、
前記通信ユニット１０１０は、さらに前記第一端末デバイスに第一指示情報を送信するために用いられ、前記第一指示情報はフィードバックリソースを指示するために用いられ、前記フィードバックリソースは、前記第一端末デバイスがＤ２Ｄ方式で前記第二端末デバイスに前記第一メッセージのフィードバック情報を送信するために用いられるリソースである、
ことを特徴とする第二端末デバイス。
【請求項１３】
前記通信ユニット１０１０は、さらにネットワークデバイスから送信する第二指示情報を受信するために用いられ、前記第二指示情報は前記フィードバックリソースを指示するために用いられ、
前記第二端末デバイス１０００は、前記第二指示情報に基づいて前記第一指示情報を生成するために用いられる処理ユニットをさらに含む、
ことを特徴とする請求項１２に記載の第二端末デバイス。
【請求項１４】
プロセッサ１５１０及びメモリ１５２０を含む端末デバイスであって、
前記メモリ１５２０は、コンピュータプログラムを格納するために用いられ、
前記プロセッサ１５１０は、前記メモリに格納されたコンピュータプログラムを呼び出して実行することにより、請求項１〜１１のいずれか一項に記載の方法を実行するために用いられる、
ことを特徴とする端末デバイス。
【請求項１５】
コンピュータ可読記憶媒体であって、
コンピュータプログラムを格納するために用いられ、前記コンピュータプログラムはコンピュータに請求項１〜１１のいずれか一項に記載の方法を実行させる、
ことを特徴とするコンピュータ可読記憶媒体。
【国際調査報告】
2022502889.tif 000020
2022502889.tif 000021
2022502889.tif 000022
2022502889.tif 000023